(57)【要約】  ソース機器（１１０）は、送信するビデオデータが二次元のビデオデータと、フレームパッキングを用いて伝送される三次元のビデオデータとのうちのいずれであるかを識別するデータを格納する３Ｄ領域（３２）を含むビデオデータの出力フォーマット通知メッセージ（１０）を、ビデオデータを送信する前に、シンク機器（１２０）に送信する。これに応答して、シンク機器（１２０）は、ビデオデータの種別及びフォーマット構造を識別し、識別されたビデオデータの種別及びフォーマット構造に基づいて、受信されたビデオデータをデコードする。
2010131314.tif 000002
【特許請求の範囲】
【請求項１】
ソース機器からシンク機器にビデオデータを伝送する通信システムのためのソース機器において、
上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージを、上記シンク機器に送信する第１の制御手段を備えたことを特徴とするソース機器。
【請求項２】
上記ソース機器は、上記ビデオデータが三次元のビデオデータであるときに、ビデオフレーム毎に、上記第１のビデオフレームデータと上記第２のビデオフレームデータとを合成ビデオフレームデータに合成し、上記合成ビデオフレームデータを上記シンク機器に送信する送信手段を備え、
上記フォーマット情報は、上記第１のビデオフレームデータと上記第２のビデオフレームデータとを合成ビデオフレームデータに合成するためのパラメータを識別するためのフォーマット構造の情報を含むことを特徴とする請求項１記載のソース機器。
【請求項３】
上記出力フォーマット通知メッセージは、上記送信されるビデオデータが上記二次元のビデオデータと、所定のフォーマット構造を用いて送信される三次元のビデオデータとのうちのいずれであるかを表すデータを格納する３Ｄ領域を含むことを特徴とする請求項２記載のソース機器。
【請求項４】
上記出力フォーマット通知メッセージは、上記送信するビデオデータの種別が上記二次元のビデオデータ及び上記三次元のビデオデータのうちのいずれであるか、及び、上記送信されるビデオデータが三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域を含むことを特徴とする請求項２記載のソース機器。
【請求項５】
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とする請求項２記載のソース機器。
【請求項６】
上記出力フォーマット通知メッセージは、
（ａ）上記送信されるビデオデータの種別が二次元のビデオデータ及び三次元のビデオデータのうちのいずれであるかを識別するデータを格納する３Ｄ領域と、
（ｂ）上記送信されるビデオデータの種別が三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域と、
（ｃ）上記送信されるビデオデータの種別が三次元のビデオデータである場合に当該三次元のビデオデータの３Ｄメタデータを格納する３Ｄメタデータ領域とを含むことを特徴とする請求項２記載のソース機器。
【請求項７】
上記フォーマット情報は、上記送信されるビデオデータのフィールドレートと、垂直有効画素数と、水平有効画素数と、垂直同期周波数とをさらに含むことを特徴とする請求項２から６までのうちのいずれか１つの請求項記載のソース機器。
【請求項８】
上記出力フォーマット通知メッセージは、上記二次元のビデオデータ及び上記三次元のビデオデータに共通のパラメータを含むことを特徴とする請求項１から７までのうちのいずれか１つの請求項記載のソース機器。
【請求項９】
ソース機器からシンク機器にビデオデータを伝送する通信システムのためのシンク機器において、
上記ソース機器によって送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別する第２の制御手段と、
上記ソース機器から上記ビデオデータを受信し、上記ビデオデータを、上記識別された種別及びフォーマット情報に基づいてデコードする受信手段とを備えたことを特徴とするシンク機器。
【請求項１０】
ソース機器からシンク機器にビデオデータを伝送する通信システムにおいて、
請求項１から８までのうちのいずれか１つの請求項記載のソース機器と、
請求項９記載のシンク機器とを備えたことを特徴とする通信システム。
【請求項１１】
ソース機器からシンク機器にビデオデータを伝送する通信システムのためのビデオデータの伝送方法において、
上記ソース機器により、上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信するステップと、
上記シンク機器により、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別するステップと、
上記シンク機器により、上記ソース機器から上記ビデオデータを受信し、上記ビデオデータを、上記識別された種別及びフォーマット情報に基づいてデコードするステップとを含むことを特徴とするビデオデータの伝送方法。
【発明の詳細な説明】
【技術分野】
【０００１】
本発明は、ビデオデータの伝送方法、当該ビデオデータを送信するソース機器、当該ビデオデータを受信するシンク機器、並びに当該ソース機器及びシンク機器を備えた無線通信システムに関し、特に、右目用ビデオフレームデータ及び左目用ビデオフレームデータなどの第１及び第２のビデオフレームデータを含む三次元（以下、３Ｄ又は立体（ｓｔｅｒｅｏｓｃｏｐｉｃ）ともいう。）のビデオデータの伝送方法、当該ビデオデータを送信するソース機器、当該ビデオデータを受信するシンク機器、並びに当該ソース機器及びシンク機器を備えた通信システムに関する。
【背景技術】
【０００２】
音声及び映像機器（以下、ＡＶ（Ａｕｄｉｏ  ａｎｄ  Ｖｉｓｕａｌ）機器という。）間で非圧縮のベースバンド映像信号とデジタル音声信号をワイヤレス伝送するための標準規格であるワイヤレスＨＤ（ＷｉｒｅｌｅｓｓＨＤ）が策定されている。ワイヤレスＨＤはデジタルビデオレコーダやセットトップボックス、パーソナルコンピュータなどのソース機器に蓄えられた高精細の動画データを、ソース機器をシンク機器にケーブル接続することなくハイビジョンテレビなどのシンク機器で視聴するための技術仕様である。また、双方向のコントロール信号も含んでいるので、テレビジョン装置とデジタルビデオレコーダを連動させるように制御することや、複数のＡＶ機器を用いてホームシアターなどを構成してこれらのＡＶ機器を一元的に制御することができ、これらの制御のためのプロトコルが定義されている。加えて、ワイヤレスＨＤは高品質のコンテンツの伝送が可能であるために、提供されるコンテンツが不正に再生されたり、違法にコピーされたりしないように、コンテンツ保護方式としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。【０００３】
従来技術に係るワイヤレスＨＤの無線伝送方法については、例えば、特許文献１及び２並びに非特許文献１に記載されている。また、従来技術に係るＡＶデータの無線伝送方法については、特許文献３及び４に記載されている。
【先行技術文献】
【特許文献】
【０００４】
【特許文献１】特開２００８−２５２９２９号公報。
【特許文献２】特開２００９−４８７７号公報。
【特許文献３】米国特許出願公開第２００８／０３２０５３９号明細書。
【特許文献４】米国特許出願公開第２００８／０１２９８７９号明細書。
【特許文献５】米国特許出願公開第２００２／００３０６７５号明細書。
【特許文献６】特開２００２−９５０１８号公報。
【非特許文献】
【０００５】
【非特許文献１】ＷｉｒｅｌｅｓｓＨＤ  Ｓｐｅｃｉｆｉｃａｔｉｏｎ  Ｖｅｒｓｉｏｎ  １．０  Ｏｖｅｒｖｉｅｗ、２００７年１０月９日。
【発明の概要】
【発明が解決しようとする課題】
【０００６】
しかしながら、従来技術に係るワイヤレスＨＤでは、ビデオデータが１つのフレームデータを含む二次元（２Ｄ又は平面（ｆｌａｔ）ともいう。）のコンテンツデータ（以下、二次元データという。）であることを想定していた。このため、ビデオデータが右目用ビデオフレームデータと左目用ビデオフレームデータなどの第１及び第２のビデオフレームデータを含む三次元のコンテンツデータ（以下、三次元データという。）の場合には、当該三次元のコンテンツデータを、ソース機器から３Ｄテレビジョン装置等のシンク機器に無線送信できなかった。【０００７】
また、特許文献５及び６は上記三次元データの伝送方法を開示しているが、ワイヤレスＨＤにおいて三次元データを無線伝送するための具体的な方法な構成を開示してはいなかった。【０００８】
本発明の目的は以上の問題点を解決し、右目用ビデオフレームデータと左目用ビデオフレームデータなどの第１及び第２のビデオフレームデータを含む三次元のビデオデータを伝送できるビデオデータの伝送方法、当該ビデオデータを送信するソース機器、当該ビデオデータを受信するシンク機器、並びに当該ソース機器及びシンク機器を備えた通信システムを提供することにある。
【課題を解決するための手段】
【０００９】
第１の発明に係るソース機器は、ソース機器からシンク機器にビデオデータを伝送する通信システムのためのソース機器において、
上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージを、上記シンク機器に送信する第１の制御手段を備えたことを特徴とする。【００１０】
上記ソース機器において、上記ソース機器は、上記ビデオデータが三次元のビデオデータであるときに、ビデオフレーム毎に、上記第１のビデオフレームデータと上記第２のビデオフレームデータとを合成ビデオフレームデータに合成し、上記合成ビデオフレームデータを上記シンク機器に送信する送信手段を備え、
上記フォーマット情報は、上記第１のビデオフレームデータと上記第２のビデオフレームデータとを合成ビデオフレームデータに合成するためのパラメータを識別するためのフォーマット構造の情報を含むことを特徴とする。【００１１】
また、上記ソース機器において、上記出力フォーマット通知メッセージは、上記送信されるビデオデータが上記二次元のビデオデータと、所定のフォーマット構造を用いて送信される三次元のビデオデータとのうちのいずれであるかを表すデータを格納する３Ｄ領域を含むことを特徴とする請求項２記載のソース機器。【００１２】
さらに、上記ソース機器において、上記出力フォーマット通知メッセージは、上記送信するビデオデータの種別が上記二次元のビデオデータ及び上記三次元のビデオデータのうちのいずれであるか、及び、上記送信されるビデオデータが三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域を含むことを特徴とする請求項２記載のソース機器。【００１３】
またさらに、上記ソース機器において、上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とする請求項２記載のソース機器。【００１４】
また、上記ソース機器において、上記出力フォーマット通知メッセージは、
（ａ）上記送信されるビデオデータの種別が二次元のビデオデータ及び三次元のビデオデータのうちのいずれであるかを識別するデータを格納する３Ｄ領域と、
（ｂ）上記送信されるビデオデータの種別が三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域と、
（ｃ）上記送信されるビデオデータの種別が三次元のビデオデータである場合に当該三次元のビデオデータの３Ｄメタデータを格納する３Ｄメタデータ領域とを含むことを特徴とする請求項２記載のソース機器。【００１５】
さらに、上記ソース機器において、上記フォーマット情報は、上記送信されるビデオデータのフィールドレートと、垂直有効画素数と、水平有効画素数と、垂直同期周波数とをさらに含むことを特徴とする請求項２から６までのうちのいずれか１つの請求項記載のソース機器。【００１６】
またさらに、上記ソース機器において、上記出力フォーマット通知メッセージは、上記二次元のビデオデータ及び上記三次元のビデオデータに共通のパラメータを含むことを特徴とする請求項１から７までのうちのいずれか１つの請求項記載のソース機器。【００１７】
第２の発明に係るシンク機器は、ソース機器からシンク機器にビデオデータを伝送する通信システムのためのシンク機器において、
上記ソース機器によって送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別する第２の制御手段と、
上記ソース機器から上記ビデオデータを受信し、上記ビデオデータを、上記識別された種別及びフォーマット情報に基づいてデコードする受信手段とを備えたことを特徴とするシンク機器。【００１８】
第３の発明に係る通信システムは、ソース機器からシンク機器にビデオデータを伝送する通信システムにおいて、上記ソース機器と、上記シンク機器とを備えたことを特徴とする。【００１９】
第４の発明に係るビデオデータの伝送方法は、ソース機器からシンク機器にビデオデータを伝送する通信システムのためのビデオデータの伝送方法において、
上記ソース機器により、上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信するステップと、
上記シンク機器により、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別するステップと、
上記シンク機器により、上記ソース機器から上記ビデオデータを受信し、上記ビデオデータを、上記識別された種別及びフォーマット情報に基づいてデコードするステップとを含むことを特徴とする。
【発明の効果】
【００２０】
本発明に係るビデオデータの伝送方法、当該ビデオデータを送信するソース機器、当該ビデオデータを受信するシンク機器、並びに当該ソース機器及びシンク機器を備えた通信システムによれば、ソース機器は、ビデオデータをシンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信する。また、シンク機器は、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードするので、三次元のビデオデータを伝送できる。
【図面の簡単な説明】
【００２１】
【図１】本発明の第１の実施形態に係るビデオデータの伝送方法を用いてビデオデータを伝送する無線通信システムの構成を示すブロック図である。
【図２】図１のＶＩＣ（Ｖｉｄｅｏ  ｆｏｒｍａｔ  Ｉｄｅｎｔｉｆｉｃａｔｉｏｎ  Ｃｏｄｅ）テーブル１１５ｔ及び１２７ｔの第１の部分を示す表である。
【図３】図１のＶＩＣテーブル１１５ｔ及び１２７ｔの第２の部分を示す表である。
【図４】図１の無線通信システムの動作を示すシーケンス図である。
【図５】図４の出力フォーマット通知メッセージ１０のフォーマットを示す図である。
【図６】図１のソース機器１１０によって生成される合成ビデオフレームデータ１８３の水平同期信号と垂直同期信号との関係に基づいたデータ配置図である。
【図７】本発明の第２の実施形態に係るビデオデータの伝送方法を用いてビデオデータを伝送する無線通信システムの構成を示すブロック図である。
【図８】図７の３Ｄストラクチャテーブル１１５ｖ及び１２７ｖを示す表である。
【図９】本発明の第２の実施形態に係る出力フォーマット通知メッセージ１０Ａのフォーマットを示す図である。
【図１０】本発明の第３の実施形態に係るビデオデータの伝送方法を用いてビデオデータを伝送する無線通信システムの構成を示すブロック図である。
【図１１】図１０のＶＩＣテーブル１１５ｔａ及び１２７ｔａの第１の部分を示す表である。
【図１２】図１０のＶＩＣテーブル１１５ｔａ及び１２７ｔａの第２の部分を示す表である。
【図１３】本発明の第３の実施形態に係る出力フォーマット通知メッセージ１０Ｂのフォーマットを示す図である。
【図１４】本発明の第４の実施形態に係る出力フォーマット通知メッセージ１０Ｃのフォーマットを示す図である。
【図１５】本発明の第５の実施形態に係る出力フォーマット通知メッセージ１０Ｄのフォーマットを示す図である。
【図１６】本発明の第６の実施形態に係る出力フォーマット通知メッセージ１０Ｅのフォーマットを示す図である。
【図１７】本発明の第７の実施形態に係るＶＩＣテーブル１１５ｔａ及び１２７ｔａの第１の部分を示す表である。
【図１８】本発明の第７の実施形態に係るＶＩＣテーブル１１５ｔａ及び１２７ｔａの第２の部分を示す表である。
【発明を実施するための形態】
【００２２】
以下、本発明に係る実施形態について図面を参照して説明する。なお、以下の各実施形態において、同様の構成要素については同一の符号を付している。
【００２３】
第１の実施形態．
図１は、本発明の第１の実施形態に係るビデオデータの伝送方法を用いてビデオデータを伝送する無線通信システムの構成を示すブロック図であり、図２及び図３は、図１のＶＩＣテーブル１１５ｔ及び１２７ｔを示す表である。
【００２４】
詳細後述するように、本実施形態に係るソース機器１１０は、ビデオデータをシンク機器１２０に送信する前に、上記送信されるビデオデータの種別が（ａ）左目用ビデオフレームデータ１８１と右目用ビデオフレームデータ１８３とを含む三次元のビデオデータと、（ｂ）１つのビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージ１０を、上記シンク機器に送信するコントローラ１１１を備えたことを特徴としている。さらに、ソース機器１１０は、送信するビデオデータが三次元のビデオデータであるときに、ビデオフレーム毎に、左目用ビデオフレームデータ１８１と右目用ビデオフレームデータ１８２とを合成ビデオフレームデータ１８３に合成するパケット処理回路１１３と、合成ビデオフレームデータ１８３をシンク機器１２０に送信するパケット無線送受信回路１１４とを備えたことを特徴としている。なお、ソース機器１１０において、パケット無線送受信回路１１４と、パケット処理回路１１３とは、送信回路を構成する。
【００２５】
また、シンク機器１２０は、出力フォーマット通知メッセージ１０をソース機器１１０から受信し、上記受信された出力フォーマット通知メッセージ１０に基づいて、送信されるビデオデータの種別、及び上記送信されるビデオデータの種別が三次元のビデオデータである場合の当該三次元のビデオデータのフォーマット情報を識別するコントローラ１２１と、ソース機器１１０からビデオデータを受信するパケット無線送受信回路１２２と、ビデオデータを上記識別された種別及びフォーマット情報に基づいてデコードするパケット処理回路１２３とを備えたことを特徴としている。なお、シンク機器１２０において、パケット無線送受信回路１２２と、パケット処理回路１２３とは、受信回路を構成する。
【００２６】
図１において、本実施形態に係る無線通信システムは、ワイヤレスＨＤに準拠している。ＡＶコンテンツデータのソース機器として機能するソース機器１１０は、映像音声再生装置１１２と、パケット処理回路１１３と、アンテナ１１６を備えたパケット無線送受信回路１１４と、ＶＩＣテーブル１１５ｔをあらかじめ格納するメモリ１１５と、これらの装置及び回路１１２〜１１５の動作を制御するコントローラ１１１とを備えて構成される。映像音声再生装置１１２は、例えばＤＶＤプレーヤであって、外部の記憶装置又はＭＤ、ＤＶＤなどの記録媒体からビデオデータ及びオーディオデータを再生してパケット処理回路１１３に出力する。パケット処理回路１１３は、入力されるビデオデータ及びオーディオデータを、ビデオフレーム毎に所定のパケットの形式のデジタル信号に変換してパケット無線送受信回路１１４に出力する。さらに、パケット処理回路１１３は、コントローラ１１１からの制御メッセージ（例えば、詳細後述する出力フォーマット通知メッセージ１０である。）を所定のパケットの形式のデジタル信号に変換してパケット無線送受信回路１１４に出力する。パケット無線送受信回路１１４は入力されるデジタル信号に従って搬送波信号をデジタル変調し、変調後の無線信号を、アンテナ１１６を介してシンク機器１２０のパケット無線送受信回路１２２に無線送信する。一方、シンク機器１２０から無線送信される無線信号はアンテナ１１６を介してパケット無線送受信回路１１４によって受信され、パケット無線送受信回路１１４は受信された無線信号をベースバンド信号に復調した後、パケット処理回路１１３に出力する。パケット処理回路１１３は、入力されるベースバンド信号から所定のパケット分離処理により所定の制御コマンドのみを取り出した後にコントローラ１１１に出力する。
【００２７】
また、シンク機器１２０は、アンテナ１２８を備えたパケット無線送受信回路１２２と、パケット処理回路１２３と、映像音声処理回路１２４と、スピーカ１２５と、二次元のビデオデータ及び三次元のビデオデータを表示するディスプレイ１２６と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）データ１２７ｄ及びＶＩＣテーブル１２７ｔをあらかじめ格納するメモリ１２７と、これらの回路等１２２〜１２４，１２７の動作を制御するコントローラ１２１とを備えて構成される。また、コントローラ１２１は、無線ネットワークの使用帯域及び信号送出のタイミング制御を管理する帯域管理部１２１ｂを備えて構成される。パケット無線送受信回路１２２は、アンテナ１２８を介して受信された無線信号をベースバンド信号に復調した後、パケット処理回路１２３に出力する。パケット処理回路１２３は、入力されるデジタル信号から所定のパケット分離処理によりビデオデータ、オーディオデータ及び所定の制御コマンドのみを取り出すことにより受信されたパケットをデコードし、ビデオデータ及びオーディオデータを映像音声処理回路１２４に出力する一方、制御コマンドをコントローラ１２１に出力する。映像音声処理回路１２４は入力されるオーディオデータを所定の信号処理やＤ／Ａ変換処理を実行した後、スピーカ１２５に出力して音声の出力を行う一方、入力されるビデオデータを所定の信号処理やＤ／Ａ変換処理を実行した後、ディスプレイ１２６に出力して表示する。
【００２８】
図２及び図３において、ＶＩＣテーブル１１５ｔ及び１２７ｔはそれぞれ、ビデオデータの複数のビデオフォーマットを識別するためのＶＩＣ（ビデオフォーマット情報識別子）を含む。ここで、ビデオフォーマットはシンク機器１２０におけるビデオデータの出力仕様を表し、ビデオデータの垂直有効画素数、水平有効画素数、走査方法（プログレッシブ（ｐ）又はインターレース（ｉ））、及び垂直同期周波数（以下、フィールドレートともいう。）の各情報を含む。本実施形態において、ＶＩＣは二次元のビデオデータの各ビデオフォーマットにそれぞれ割り当てられている。また、ＥＤＩＤデータ１２７ｄは、ＶＩＣテーブル１２７ｔに含まれるＶＩＣのうちディスプレイ１２６を用いて表示可能なビデオデータの各ＶＩＣ、ディスプレイ１２６の製品情報及び製造者名、映像符号化方式（例えば、ＲＧＢ、ＹＣＢＣＲ４：４：４又はＹＣＢＣＲ４：２：２）及び音声出力サンプリング等の音声出力仕様（以下、オーディオフォーマットという。）等のデータを含む。
【００２９】
図４は、図１の無線通信システムの動作を示すシーケンス図である。まず始めに、ソース機器１１０とシンク機器１２０との間で、シンク機器１２０がサポートするビデオフォーマットの情報及びオーディオフォーマットの情報をソース機器１１０が取得するためのデバイス能力取得処理（入力フォーマット取得処理）が実行される。デバイス能力取得処理において、ソース機器１１０は、シンク機器１２０のデバイス能力の情報を要求するデバイス能力要求（ＤＥＶＩＣＥ＿ＣＡＰＡＢＩＬＩＴＹ＿ＲＥＱＵＥＳＴ）メッセージ（デバイス情報要求メッセージともいう。）１をシンク機器１２０に無線送信する。これに応答して、シンク機器１２０は、シンク機器１２０のデバイス能力の情報を含むデバイス能力応答（ＤＥＶＩＣＥ＿ＣＡＰＡＢＩＬＩＴＹ＿ＲＥＳＰＯＮＳＥ）メッセージ（デバイス情報応答メッセージともいう。）２をソース機器１１０に無線送信する。
【００３０】
次に、図４において、ソース機器１１０とシンク機器１２０との間で、機器接続処理が行われる。本実施形態では、ソース機器１１０が機器接続処理、ポート予約処理及び帯域予約処理を起動（イニシエート）する。機器接続処理において、始めに、ソース機器１１０はワイヤレスＨＤに準拠した接続要求（ＣＯＮＮＥＣＴ＿ＲＥＱＵＥＳＴ）メッセージ６をシンク機器１２０に無線送信することにより、ＡＶデータをシンク機器１２０に送信するか否かを確認する。このとき、接続要求メッセージ６のＳビットは０にセットされ、ポート領域はソースポートを表すデータを格納する。シンク機器１２０は、接続要求メッセージ６を受信すると、ソース機器１１０からの接続要求に対する結果の情報を含むワイヤレスＨＤに準拠した接続応答（ＣＯＮＮＥＣＴ＿ＲＥＳＰＯＮＳＥ）メッセージ７をソース機器１１０に無線送信する。ここで、シンク機器１２０は、ソース機器１１０からの接続要求を受け入れるときは、接続応答メッセージ７の結果コード領域に「成功」を表すデータを格納し、シンクポート領域にＡＶデータ伝送のために予約されたシンクポートのデータを格納する。接続要求メッセージ６のＲＦビットに１がセットされている場合には、シンク機器１２０は、接続応答メッセージ７の所定の領域（総データ長領域、フォーマット種別領域、データ長領域及びフォーマットデータ領域）に、サポートされるフォーマットの情報を格納する。接続要求メッセージ６のＲＦビットに０がセットされている場合には、シンク機器１２０は、接続応答メッセージ７の総データ長領域に０を格納する。シンク機器１２０は、ソース機器１１０からの接続要求を拒否するときは、接続応答メッセージ７の結果コード領域に適切な理由を有する「失敗」を表すデータを格納する。
【００３１】
図４において、ソース機器１１０は、「成功」を示す接続応答メッセージ７を無線受信すると、ソース機器１１０からシンク機器１２０にビデオデータ及びオーディオデータを含むＡＶコンテンツデータを伝送するための伝送帯域を確保するためのワイヤレスＨＤに準拠した帯域（リソース）予約処理を行う。帯域予約処理において、ソース機器１１０は、ＡＶデータを送信するための帯域を要求して予約するために帯域要求コマンドをシンク機器１２０に無線送信する。これに応答して、シンク機器１２０の帯域管理部１２１ｂは、ソース機器１１０からシンク機器１２０にＡＶコンテンツデータを送信するために必要な予約期間を割り当て、割り当てた予約期間の情報を含む期間指定コマンドをソース機器１１０に無線送信する。
【００３２】
さらに、図４において、ソース機器１１０は帯域予約処理を正常に終了すると、ＡＶデータをシンク機器１２０に送信する前に、及び、ＡＶデータのビデオフォーマット及びオーディオフォーマットのうちの少なくとも一方が変更されたときに、送信するＡＶデータのビデオフォーマット及びオーディオフォーマットを含む出力フォーマット通知メッセージ（ＯＵＴＰＵＴ＿ＦＯＲＭＡＴ＿ＮＯＴＩＦＹ）１０を、シンク機器１２０に送信する。そして、ソース機器１１０は、ＡＶデータをシンク機器１２０に送信する。シンク機器１２０は、ソース機器１１０からの出力フォーマット通知メッセージ１０に基づいて、送信されるＡＶデータのビデオフォーマット及びオーディオフォーマットを識別し、識別されたビデオフォーマット及びオーディオフォーマットに基づいて、受信したＡＶデータをデコードする。
【００３３】
図５は、図４の出力フォーマット通知メッセージ１０のフォーマットを示す図である。図５において、出力フォーマット通知メッセージ１０は以下の各領域を含む。
（１）出力フォーマット通知メッセージ１０のオペレーションコードを格納する１６ビットのオペコード（Ｏｐｃｏｄｅ）領域１１。
（２）ＡＶデータの伝送のために予約されたシンクポート番号を格納する６ビットのシンクポート（ＳｉｎｋＰｏｒｔ）領域１２。
（３）シンクポート及びソースポートがビデオデータのために用いられるときには１を格納し、シンクポート及びソースポートがビデオデータのために用いられないときには０を格納する１ビットのＶＰ領域１３。
（４）シンクポート及びソースポートがオーディオデータのために用いられるときには１を格納し、シンクポート及びソースポートがオーディオデータのために用いられないときには０を格納する１ビットのＡＰ領域１４。
（５）ＡＶデータの伝送のために予約されたソースポート番号を格納する６ビットのソースポート（ＳｒｃＰｏｒｔ）領域１５。
（６）出力フォーマット通知メッセージ１０からオペコード領域１０１と総データ長領域１０７を除いた領域のデータ長を表すデータを格納する１６ビットの総データ長（Ｔｏｔａｌ＿ｌｅｎｇｔｈ）領域１６。
（７）将来の利用ために予約された２ビットのＲ（Ｒｅｓｅｒｖｅｄ）領域１７及び１６ビットの予備領域１８。
（８）データ長領域２１に続くフォーマットデータ領域（図５では、領域２２〜３３である。）に格納されるデータのタイプを表すデータを格納する８ビットのフォーマット種別（Ｆｏｒｍａｔ＿Ｔｙｐｅ）領域１９。本実施形態及び以下の各実施形態において、フォーマット種別領域１９は、ビデオフォーマット情報（ＶＩＤＥＯ＿ＩＮＦＯ）を表すデータを格納する。
（９）上記フォーマットデータ領域のバージョン番号を格納する８ビットのバージョン情報（Ｖｅｒｓｉｏｎ）領域２０。
（１０）上記フォーマットデータ領域のデータ長を格納する８ビットのデータ長（Ｌｅｎｇｔｈ）領域２１。
（１１）送信されるビデオデータのビデオフォーマットを表すＶＩＣを格納する８ビットのＶＩＣ領域２２。
（１２）送信されるビデオデータのカラーフォーマットのタイプを表すデータを格納する３ビットのＣＳ（Ｃｏｌｏｒ  Ｓｐａｃｅ：色空間）領域２３。
（１３）送信されるビデオデータの色深度のビット数を格納する３ビットのＣＤ（Ｃｏｌｏｒ  Ｄｅｐｔｈ：色深度）領域２４。
（１４）送信される映像のアスペクト比を表すデータを格納する２ビットのＰＡＲ（Ｐｉｃｔｕｒｅ  Ａｓｐｅｃｔ  Ｒａｔｉｏ：ビデオアスペクト比）領域２５。
（１５）送信されるビデオデータのカラリメトリ情報を格納する４ビットのＣＭ（Ｃｏｌｏｒｉｍｅｔｒｙ：カラリメトリ）領域２６。
（１６）送信されるビデオデータの有効画素のアスペクト比を表すデータを格納する４ビットのＡＦＡＲ（Ａｃｔｉｖｅ  Ｆｏｒｍａｔ  Ａｓｐｅｃｔ  Ｒａｔｉｏ）領域２７。
（１７）サポートされるコンテンツのタイプを表すデータを格納する４ビットのＣＦ（Ｃｏｎｔｅｎｔ  Ｆｌａｇ）領域２８。
（１８）送信されるビデオデータの量子化ビット範囲を表すデータを格納する２ビットのＱＲ（Ｑｕａｎｔｉｚａｔｉｏｎ  Ｒａｎｇｅ）領域２９。
（１９）送信されるビデオデータのタイミング情報として詳細タイミング情報が用いられるときは１を格納する一方、用いられないときは０を格納する１ビットのＤ（Ｄｅｔａｉｌｅｄ  Ｔｉｍｉｎｇ  Ｉｎｆｏｒｍａｔｉｏｎ）領域３０。
（２０）Ｄ領域３０に１が格納されているときには詳細タイミング情報のＩＤを格納する一方、０が格納されているときには０を格納する４ビットのＩＤ（ＩＤ  ｏｆ  Ｄｅｔａｉｌｅｄ  Ｔｉｍｉｎｇ  Ｉｎｆｏｒｍａｔｉｏｎ領域３１。
（２１）送信されるビデオデータの種別が二次元のビデオデータと、フレームパッキング（フレームシーケンシャルともいう。）を用いて伝送される三次元のビデオデータとのうちのいずれであるかを識別するデータを格納する１ビットの３Ｄ領域３２。具体的には、３Ｄ領域３２は、送信されるビデオデータが二次元のビデオデータであるときには０を格納する一方、送信されるビデオデータがフレームパッキングを用いて伝送される三次元のビデオデータであるときには１を格納する。
（２２）将来の利用ために予約された４ビットのリザーブ領域３３。
【００３４】
次に、ソース機器１１０が左目用ビデオフレームデータ１８１と右目用ビデオフレームデータ１８２とを含む三次元のビデオデータをシンク機器１２０に送信するときの、ソース機器１１０及びシンク機器１２０の動作を説明する。まず始めに、ソース機器１１０は、出力フォーマット通知メッセージ１０の３Ｄ領域３２に１をセットして、シンク機器１２０に送信する。シンク機器１２０は、出力フォーマット通知メッセージ１０の３Ｄ領域３２に１がセットされていることを検出することにより、ソース機器１１０から三次元のビデオデータが送信されること及び当該ビデオデータがフレームパッキングを用いて伝送されることを識別する。
【００３５】
次に、ソース機器１１０のコントローラ１１１は、１にセットされた３Ｄ領域３２を含む出力フォーマット通知メッセージ１０をシンク機器１２０に送信した後に、パケット処理回路１１３に対して、ビデオフレーム毎に、右目用ビデオフレームデータ１８２と左目用ビデオフレームデータ１８１とを、フレームパッキングを用いて合成ビデオフレームデータ１８３に合成するように制御する。
【００３６】
図６は、図１のソース機器１１０によって生成される合成ビデオフレームデータ１８３の水平同期信号と垂直同期信号との関係に基づいたデータ配置図である。図６において、水平表示期間Ｔｈは水平同期信号の水平同期期間と次の水平同期期間との間の期間であり、垂直表示期間Ｔｖは垂直同期信号の垂直同期期間と次の垂直同期期間との間の期間である。左目用ビデオフレームデータ１８１と右目用ビデオフレームデータ１８２の水平有効画素数はそれぞれ１９２０ピクセルであり、垂直有効画素数はそれぞれ１０８０ピクセルである。また、合成ビデオフレームデータ１８３の水平画素数は１９２０ピクセルであり、垂直画素数は２１６０ピクセルである。さらに、左目用ビデオフレームデータ１８１と右目用ビデオフレームデータ１８２の垂直同期周波数は２３．９７Ｈｚ又は２４Ｈｚである。パケット処理回路１１３は、左目用ビデオフレームデータ１８１と右目用ビデオフレームデータ１８２とを合成ビデオフレームデータ１８３に合成する。このとき、合成ビデオフレームデータ１８３は水平表示期間Ｔｈにおいて、垂直表示期間Ｔｖの前半で１０８０ライン分の左目用ビデオフレームデータ１８１が送信された後、垂直表示期間Ｔｖの後半で１０８０ライン分の右目用ビデオフレームデータ１８２が送信されるように構成される。
【００３７】
次に、ソース機器１１０のコントローラ１１１は、パケット処理回路１１３に対して、合成ビデオフレームデータ１８３をワイヤレスＨＤによって所定のパケットフォーマットに従って複数のパケットに分割するように制御する。これに応答して、パケット処理回路１１３は、合成ビデオフレームデータ１８３を送信するための各サブパケットのヘッダに含まれる各Ｈポジション及び各Ｖポジションに、当該サブパケットに格納された合成ビデオフレームデータ１８３の先頭ピクセルの水平表示期間Ｔｈ内の水平位置データ及び垂直表示期間Ｔｖ内の垂直位置データを、右目用ビデオフレームデータ１８２と左目用ビデオフレームデータ１８１とを識別するためのデータとしてそれぞれ格納するように、合成ビデオフレームデータ１８３をワイヤレスＨＤに準拠したパケットフォーマットに従って複数のパケットに分割する。そして、ソース機器１１０のコントローラ１１１は、生成された複数のパケット含むＡＶデータを、割り当てられた予約期間においてシンク機器１２０に無線送信するようにパケット無線送受信回路１１４を制御する。シンク機器１２０は、受信した出力フォーマット通知メッセージ１０内の３Ｄ領域３２に格納されたデータに基づいて、受信されたＡＶデータ内のビデオデータのパケットをデコードする。
【００３８】
なお、ソース機器１１０は、オーディオデータを、ワイヤレスＨＤに準拠したオーディオのパケットフォーマットに従って複数のオーディオパケットに分割し、合成ビデオフレームデータ１８３の複数のパケットとともにシンク機器１２０に無線送信する。また、ソース機器１１０において、パケット処理回路１１３は、ビデオデータが二次元データであるときには、ビデオフレーム毎に、選択されたＶＩＣのビデオフォーマットに従ってビデオフレームデータを生成し、生成されたビデオフレームデータをワイヤレスＨＤに準拠したパケットフォーマットに従って複数のパケットに分割して複数のパケットを生成する。
【００３９】
従来技術に係るワイヤレスＨＤは二次元のビデオデータを無線送信することを想定していたので、従来技術に係る出力フォーマット通知メッセージは、本実施形態に係る出力フォーマット通知メッセージ１０に比較して、３Ｄ領域３２を含んでいなかった。従って、ソース機器１１０は、送信するビデオデータが三次元のビデオデータであることをシンク機器１２０に通知できず、三次元のビデオデータをシンク機器１２０に無線送信できなかった。本実施形態によれば、出力フォーマット通知メッセージ１０は、送信されるビデオデータが二次元のビデオデータと、フレームパッキングを用いて伝送される三次元のビデオデータとのうちのいずれであるかを識別するデータを格納する３Ｄ領域３２を含むので、ソース機器１１０は、三次元のビデオデータを含む３Ｄコンテンツデータをシンク機器１２０に送信する前に、出力フォーマット通知メッセージ１０の３Ｄ領域３２を用いて、ビデオデータが三次元のビデオデータであること及び当該ビデオデータのフォーマット構造を通知することができる。また、シンク機器１２０は、受信された出力フォーマット通知メッセージ１０の３Ｄ領域３２に格納されたデータに基づいて、ソース機器１１０からのビデオデータをデコードできる。従って、本実施形態によれば、三次元のビデオデータをソース機器１１０からシンク機器１２０に、出力フォーマット通知メッセージ１０を用いて通知されたフォーマット構造で送信できる。
【００４０】
また、本実施形態によれば、ソース機器１１０は、ビデオデータを送信する前に、ビデオデータを送信するためのパケットとは別の１つのパケットを用いて、出力フォーマット通知メッセージ１０をシンク機器１２０に送信する。従って、シンク機器１２０は、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０においてビデオデータをスムーズに再生できる。さらに、本実施形態に係る出力フォーマット通知メッセージ１０によれば、二次元のビデオデータ及び三次元のビデオデータに共通のパラメータを、領域２３〜３１に格納したので、ビデオデータの種別毎に別の出力フォーマットメッセージをシンク機器１２０に送信する必要がない。
【００４１】
第２の実施形態．
図７は、本発明の第２の実施形態に係るビデオデータの伝送方法を用いてビデオデータを伝送する無線通信システムの構成を示すブロック図であり、図８は、図７の３Ｄストラクチャテーブル１１５ｖ及び１２７ｖを示す表である。また、図９は、本発明の第２の実施形態に係る出力フォーマット通知メッセージ１０Ａのフォーマットを示す図である。本実施形態は、第１の実施形態に比較して以下の点が異なる。
（１）ソース機器１１０Ａにおいて、メモリ１１５は、ＶＩＣテーブル１１５ｔ及び３Ｄストラクチャテーブル１１５ｖを予め格納すること。
（２）シンク機器１２０Ａにおいて、メモリ１２７は、ＶＩＣテーブル１２７ｔ及び３Ｄストラクチャテーブル１２７ｖを予め格納すること。
（３）出力フォーマット通知メッセージ１０Ａは、出力フォーマット通知メッセージ１０に比較して、３Ｄ領域３２及び領域３３に代えて、４ビットの３Ｄストラクチャ領域３４及び１ビットの予備領域３５を含むこと。
【００４２】
図７において、ソース機器１１０Ａは、ＶＩＣテーブル１１５ｔ及び３Ｄストラクチャテーブル１１５ｖをメモリ１１５に予め格納している。ここで、図８に示すように、３Ｄストラクチャテーブル１１５ｖ及び１２７ｖは、出力フォーマット通知メッセージ１０Ａの３Ｄストラクチャ領域３４に格納される３Ｄストラクチャコードと、ビデオデータの種別と、ビデオデータが三次元のビデオデータである場合の当該三次元のビデオデータのフォーマット構造（ビデオストラクチャともいう。）との関係を示す。詳細後述するように、ビデオデータのフォーマット構造は、三次元のビデオデータに含まれる左目用ビデオフレームデータ、右目用ビデオフレームデータ、左目用トップフィールドビデオフレームデータ、右目用トップフィールドビデオフレームデータ、左目用ボトムフィールドビデオフレームデータ及び右目用ボトムフィールドビデオフレームデータ等の各ビデオフレームデータの伝送順序及び伝送タイミングの各定義を表す。すなわち、ビデオデータのフォーマット構造の情報は、パケット処理回路１１３において、ビデオフレーム毎に、１つのビデオデータに含まれる複数のビデオフレームデータを少なくとも１つの合成ビデオフレームデータに合成するための各パラメータを識別するための情報である。
【００４３】
図８において、フォーマット構造がフレームパッキングの場合、合成ビデオフレームデータは、水平表示期間Ｔｈにおいて、垂直表示期間Ｔｖ内の互いに等しい期間長を有する第１〜第Ｎ（Ｎは２以上の整数である。）の各期間でＮ個のビデオフレームデータが順次送信されるように構成される。ここで、例えば、三次元のビデオデータに含まれるビデオフレームデータの個数Ｎが２であるときは、第１及び第２のビデオフレームデータは左目用ビデオフレームデータＬ及び右目用ビデオフレームデータＲである。このとき、上記パラメータは、水平有効期間Ｈａｃｔｉｖｅ、水平ブランキング期間Ｈｂｌａｎｋ、垂直有効期間Ｖａｃｔｉｖｅ及び垂直ブランキング期間Ｖｂｌａｎｋの各ピクセル数、フィールドレート（Ｈｚ）、ピクセル周波数（ＭＨｚ）並びにビデオフレームデータＲ及びＬの間に設けられるブランキング期間の０以上の値を有するライン数Ｖｓｐａｃｅである。また、合成ビデオフレームデータは水平表示期間Ｔｈにおいて、垂直表示期間Ｔｖの前半で所定のライン数Ｖｖｉｄｅｏの左目用ビデオフレームデータＬが送信された後、垂直表示期間Ｔｖの後半で上記所定のラインＶｖｉｄｅｏの右目用ビデオフレームデータＲが送信されるように構成される。また、三次元のビデオデータに含まれるビデオフレームデータの個数Ｎが４であるときは、第１〜第４のビデオフレームデータは左目用トップビデオフレームデータＬ＿ｔｏｐ（左目用奇数ビデオフレームデータＬ＿ｏｄｄともいう。）、右目用トップビデオフレームデータＲ＿ｔｏｐ（右目用奇数ビデオフレームデータＲ＿ｏｄｄともいう。）、左目用ボトムビデオフレームデータＬ＿ｂｏｔｔｏｍ（左目用偶数ビデオフレームデータＬ＿ｅｖｅｎｔ）もいう。）及び右目用ボトムビデオフレームデータＲ＿ｂｏｔｔｏｍ（右目用偶数ビデオフレームデータＲ＿ｅｖｅｎである。なお、
【００４４】
また、フォーマット構造がフレームパッキングの場合、垂直同期信号の連続する３つの垂直同期期間間の各期間Ｔｖ１及びＴｖ２のうち、期間Ｔｖ１において、左目用トップビデオフレームデータＬ＿ｔｏｐ（左目用奇数ビデオフレームデータＬ＿ｏｄｄともいう。）と、右目用トップビデオフレームデータＲ＿ｔｏｐ（右目用奇数ビデオフレームデータＲ＿ｏｄｄともいう。）とを第１の合成ビデオフレームデータに合成し、期間Ｔｖ２において、左目用ボトムビデオフレームデータＬ＿ｂｏｔｔｏｍ（左目用偶数ビデオフレームデータＬ＿ｅｖｅｎともいう。）と、右目用ボトムビデオフレームデータＲ＿ｂｏｔｔｏｍ（右目用偶数ビデオフレームデータＲ＿ｅｖｅｎともいう。）とを第２の合成ビデオフレームデータに合成する。このとき、第１の合成ビデオフレームデータは水平表示期間Ｔｈにおいて、垂直表示期間Ｔｖ１の前半で所定のライン数の左目用トップビデオフレームデータＬ＿ｔｏｐが送信された後、垂直表示期間Ｔｖ２の後半で所定のライン数の右目用トップビデオフレームデータＲ＿ｔｏｐが送信されるように構成される。また、第２の合成ビデオフレームデータは水平表示期間Ｔｈにおいて、垂直表示期間Ｔｖ２の前半で所定のライン数の左目用ボトムビデオフレームデータＬ＿ｂｏｔｔｏｍが送信された後、垂直表示期間Ｔｖ２の後半で所定のライン数の右目用ボトムビデオフレームデータＲ＿ｂｏｔｔｏｍが送信されるように構成される。
【００４５】
さらに、フォーマット構造がラインオルタナティブの場合、合成ビデオフレームデータは水平表示期間Ｔｈにおいて、垂直表示期間Ｔｖで左目用ビデオフレームデータＬに含まれる複数の水平ラインデータＬ＿Ｈと右目用ビデオフレームデータＲに含まれる複数の水平ラインデータＲ＿Ｈとが交互に送信されるように構成される。
【００４６】
またさらに、フォーマット構造がサイドバイサイド（フル）の場合、合成ビデオフレームデータは垂直表示期間Ｔｖにおいて、水平表示期間Ｔｈの前半で所定の第１のピクセル分の左目用ビデオフレームデータＬが送信された後、水平表示期間Ｔｈの後半で所定の第１のピクセル分の右目用ビデオフレームデータＲが送信されるように構成される。また、フォーマット構造がサイドバイサイド（ハーフ）の場合、合成ビデオフレームデータは垂直表示期間Ｔｖにおいて、水平表示期間Ｔｈの前半で第１のピクセルの半分の第２のピクセル分の左目用ビデオフレームデータＬが送信された後、水平表示期間Ｔｈの後半で第２のピクセル分の右目用ビデオフレームデータＲが送信されるように構成される。
【００４７】
また、フォーマット構造がＬ＋Ｄｅｐｔｈの場合、合成ビデオフレームデータは垂直表示期間Ｔｖにおいて、二次元ビデオデータＬと奥行きＤｅｐｔｈとが送信されるように構成される。そして、フォーマット構造がＬ＋Ｄｅｐｔｈ＋Ｇｒａｐｈｉｃｓ＋（Ｇｒａｐｈｉｃｓ−Ｄｅｐｔｈ）の場合、合成ビデオフレームデータは垂直表示期間Ｔｖにおいて、二次元ビデオデータＬと、奥行きデータＤｅｐｔｈとグラフィックスデータＧｒａｐｈｉｃｓと、グラフィックスデータと奥行きデータの差分（Ｇｒａｐｈｉｃｓ−Ｄｅｐｔｈ）とが送信されるように構成される。
【００４８】
図９において、本実施形態に係る出力フォーマット通知メッセージ１０Ａは、第１の実施形態に係る出力通知フォーマットメッセージ１０に比較して、３Ｄ領域３２及び領域３３に代えて、３Ｄストラクチャ領域３４及び予備領域３５を含む。ここで、３Ｄストラクチャ領域３４は、送信されるビデオデータの種別が二次元のビデオデータと三次元のビデオデータとのうちのいずれであるか、及び、送信されるビデオデータが三次元のビデオデータである場合に当該三次元のビデオデータが所定の複数のフォーマット構造のうちのどのフォーマット構造を用いて送信されるかを識別するための３Ｄストラクチャコードを格納する。
【００４９】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ビデオデータ及びオーディオデータをシンク機器１２０Ａに送信する前に、送信するビデオデータの種別及びフォーマット構造に基づいて、３Ｄストラクチャテーブル１１５ｖを参照して、３Ｄストラクチャ領域３４に格納する３Ｄストラクチャコードを決定し、当該決定された３Ｄストラクチャコードを格納する３Ｄストラクチャ領域３４を含む出力フォーマット通知メッセージ１０Ａを、シンク機器１２０Ａに送信する。さらに、ソース機器１１０Ａは、出力フォーマット通知メッセージ１０Ａを送信した後に、シンク機器１２０ＡにＡＶデータを送信する。シンク機器１２０Ａは、ソース機器１１０Ａからの出力フォーマット通知メッセージ１０Ａの３Ｄストラクチャ領域３４に格納された３Ｄストラクチャコードを検出し、当該検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００５０】
以上説明したように、本実施形態によれば、ワイヤレスＨＤの無線伝送方法において、ビデオデータの出力フォーマット通知メッセージ１０Ａは送信するビデオデータの３Ｄストラクチャコードを格納する３Ｄストラクチャ領域３４を含むので、ソース機器１１０Ａがシンク機器１２０Ａに３Ｄコンテンツデータのビデオデータを送信する前に、出力フォーマット通知メッセージ１０Ａの３Ｄストラクチャ領域３４を用いて、ビデオデータが三次元のビデオデータであること及び当該ビデオデータのフォーマット構造を通知することができる。また、シンク機器１２０Ａは、受信された出力フォーマット通知メッセージ１０Ａの３Ｄストラクチャ領域３４に格納された３Ｄストラクチャコードに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ａを用いて通知されたフォーマット構造で送信できる。
【００５１】
また、本実施形態によれば、ソース機器１１０Ａは、ビデオデータを送信する前に、ビデオデータを送信するためのパケットとは別の１つのパケットを用いて、出力フォーマット通知メッセージ１０Ａをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。さらに、本実施形態に係る出力フォーマット通知メッセージ１０Ａによれば、二次元のビデオデータ及び三次元のビデオデータに共通のパラメータを、領域２３〜３１に格納したので、ビデオデータの種別毎に別の出力フォーマットメッセージをシンク機器１２０Ａに送信する必要がない。
【００５２】
第３の実施形態．
図１０は、本発明の第３の実施形態に係るビデオデータの伝送方法を用いてビデオデータを伝送する無線通信システムの構成を示すブロック図である。また、図１１及び図１２は、図１０のＶＩＣテーブル１１５ｔａ及び１２７ｔａを示す表であり、図１３は、本発明の第３の実施形態に係る出力フォーマット通知メッセージ１０Ｂのフォーマットを示す図である。本実施形態は、第１の実施形態に比較して以下の点が異なる。
（１）ソース機器１１０Ｂにおいて、メモリ１１５は、ＶＩＣテーブル１１５ｔに代えてＶＩＣテーブル１１５ｔａを予め格納すること。
（２）シンク機器１２０Ｂにおいて、メモリ１２７は、ＶＩＣテーブル１２７ｔに代えてＶＩＣテーブル１２７ｔａを予め格納すること。
（３）出力フォーマット通知メッセージ１０Ｂは、出力フォーマット通知メッセージ１０に比較して、二次元のビデオデータのビデオフォーマットを識別するＶＩＣを格納するビデオコード領域２２に代えて、三次元のビデオデータのビデオフォーマットを識別するＶＩＣを格納する８ビットのビデオコード領域２２Ａを含み、３Ｄ領域３２及び予備領域３３に代えて５ビットの予備領域３６を含むこと。
【００５３】
第１及び第２の実施形態では、図２及び図３に示すように、ＶＩＣテーブル１１５ｔ及び１２７ｔは、ＶＩＣと、ビデオデータの垂直有効画素数と、水平有効画素数と、走査方法と、垂直同期周波数との関係を示すように構成されていた。これに対して、本実施形態では、図１１及び図１２に示すように、ＶＩＣテーブル１１５ｔａ及び１２７ｔａは、ＶＩＣと、ビデオデータの垂直有効画素数と、水平有効画素数と、走査方法と、ビデオデータが三次元のビデオデータである場合の当該三次元のビデオデータのフォーマット構造と、垂直同期周波数との関係を示すように構成される。すなわち、本実施形態において、ＶＩＣは、送信されるビデオデータの種別と、ビデオデータの種別が三次元のビデオデータである場合の当該三次元のビデオデータのフォーマット構造を識別する。図１１及び図１２において、１から３７までの間の各ＶＩＣ及び１２８から１３６までの間の各ＶＩＣは、図３及び図４のＶＩＣテーブルと同様に、２Ｄコンテンツデータ（二次元のビデオデータを含むコンテンツデータである。）のビデオフォーマットにそれぞれ割り当てられ、３８から４０までの間の各ＶＩＣは、３Ｄコンテンツデータのビデオフォーマットに、以下のように割り当てられている。
【００５４】
（１）ＶＩＣの３８は、１９２０ピクセルの有効水平画素数と、１０８０ピクセルの有効垂直画素数と、プログレッシブスキャンである走査方法と、２３．９７Ｈｚのフィールドレートと、フレームパッキングのフォーマット構造を有するビデオフォーマットに割り当てられている。
（２）ＶＩＣの３９は、１２８０ピクセルの有効水平画素数と、７２０ピクセルの有効垂直画素数と、プログレッシブスキャンである走査方法と、５３．９４Ｈｚのフィールドレートと、フレームパッキングのフォーマット構造を有するビデオフォーマットに割り当てられている。
（３）ＶＩＣの４０は、１２８０ピクセルの有効水平画素数と、７２０ピクセルの有効垂直画素数と、プログレッシブスキャンである走査方法と、５０Ｈｚのフィールドレートと、フレームパッキングのフォーマット構造を有するビデオフォーマットに割り当てられている。
【００５５】
図１３において、出力フォーマット通知メッセージ１０Ｂは、第１の実施形態に係る出力フォーマット通知メッセージ１０に比較して、二次元のビデオデータのビデオフォーマットを識別するＶＩＣを格納するビデオコード領域２２に代えて、三次元のビデオデータのビデオフォーマットを識別するＶＩＣを格納する８ビットのビデオコード領域２２Ａを含み、３Ｄ領域３２及び予備領域３３に代えて５ビットの予備領域３６を含む。
【００５６】
次に、ソース機器１１０Ｂがシンク機器１２０ＢにＡＶデータを送信するときの、ソース機器１１０Ｂ及びシンク機器１２０Ｂの動作を説明する。まず始めに、ソース機器１１０は、ＡＶデータをシンク機器１２０に送信する前に、送信するビデオデータの種別と、垂直有効画素数と、水平有効画素数と、走査方法と、ビデオデータが三次元のビデオデータである場合の当該三次元のビデオデータのフォーマット構造と、垂直同期周波数とに基づいて、ＶＩＣテーブル１１５ｔａを参照して、ビデオコード領域２２Ａに格納するＶＩＣを決定し、当該決定された値を格納するビデオコード領域２２Ａを含む出力フォーマット通知メッセージ１０Ｂを、シンク機器１２０Ｂに送信する。さらに、ソース機器１１０Ｂは、出力フォーマット通知メッセージ１０Ｂを送信した後に、シンク機器１２０ＢにＡＶデータを送信する。シンク機器１２０Ｂは、ソース機器１１０Ｂからの出力フォーマット通知メッセージ１０Ｂのビデオコード領域２２Ａに格納されたＶＩＣを検出し、検出されたＶＩＣに基づいてＶＩＣテーブル１２７ｔａを参照して、ソース機器１１０Ｂから送信されるビデオデータの種別と、垂直有効画素数と、水平有効画素数と、走査方法と、ビデオデータが三次元のビデオデータである場合の当該三次元のビデオデータのフォーマット構造と、垂直同期周波数とを識別する。そして、シンク機器１２０Ｂは、識別されたビデオデータの種別と、垂直有効画素数と、水平有効画素数と、走査方法と、ビデオデータが三次元のビデオデータである場合の当該三次元のビデオデータのフォーマット構造と、垂直同期周波数とに基づいて、受信されるビデオデータをデコードして表示する。
【００５７】
例えば、ソース機器１１０Ｂは、三次元のビデオデータを送信するときは、３８から４０までの間のＶＩＣのうちから１つのＶＩＣを選択して出力フォーマット通知メッセージ１０Ｂのビデオコード領域２２Ａに格納して、当該選択されたＶＩＣをシンク機器１２０Ｂに通知する。さらに、ソース機器１１０Ｂは、出力フォーマット通知メッセージ１０Ｂを送信した後に、３Ｄコンテンツデータをシンク機器１２０Ｂに送信する。シンク機器１２０Ｂは、出力フォーマット通知メッセージ１０Ｂのビデオコード領域２２のデータ値が３８から４０までの値であることを検出することにより、ソース機器１１０Ｂから送信されるビデオデータが三次元のビデオデータであり、かつ当該三次元のビデオデータのフォーマット構造がフレームパッキングであることを識別する。
【００５８】
以上説明したように、本実施形態によれば、ワイヤレスＨＤの無線伝送方法において、ビデオデータの出力フォーマット通知メッセージ１０Ｂは、送信されるビデオデータの種別と、垂直有効画素数と、水平有効画素数と、走査方法と、ビデオデータが三次元のビデオデータである場合の当該三次元のビデオデータのフォーマット構造と、垂直同期周波数とを識別するＶＩＣを格納するビデオコード領域２２Ａを含むので、ソース機器１１０Ｂがシンク機器１２０Ｂに３Ｄコンテンツデータのビデオデータを送信する前に、出力フォーマット通知メッセージ１０Ｂのビデオコード領域２２Ａを用いて、ビデオデータが三次元のビデオデータであること及び当該ビデオデータのフォーマット構造を通知することができる。また、シンク機器１２０Ｂは、受信された出力フォーマット通知メッセージ１０Ｂのビデオコード領域２２Ａに格納されたＶＩＣに基づいて、ソース機器１１０Ｂからのビデオデータをデコードできる。従って、本実施形態によれば、三次元のビデオデータをソース機器１１０Ｂからシンク機器１２０Ｂに、出力フォーマット通知メッセージ１０Ｂを用いて通知されたフォーマット構造で送信できる。
【００５９】
また、本実施形態によれば、ソース機器１１０Ｂは、ビデオデータを送信する前に、ビデオデータを送信するためのパケットとは別の１つのパケットを用いて、出力フォーマット通知メッセージ１０Ｂをシンク機器１２０Ｂに送信する。従って、シンク機器１２０Ｂは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ｂにおいてビデオデータをスムーズに再生できる。さらに、本実施形態に係る出力フォーマット通知メッセージ１０によれば、二次元のビデオデータ及び三次元のビデオデータに共通のパラメータを、領域２３〜３１に格納したので、ビデオデータの種別毎に別の出力フォーマットメッセージをシンク機器１２０Ｂに送信する必要がない。
【００６０】
第４の実施形態．
図１４は、本発明の第４の実施形態に係る出力フォーマット通知メッセージ１０Ｃのフォーマットを示す図である。本実施形態に係る出力フォーマット通知メッセージ１０Ｃは、第２の実施形態に係るシンク機器１２０Ａからソース機器１１０Ａに送信される。本実施形態に係る出力フォーマット通知メッセージ１０Ｃは、第２の実施形態に係る出力フォーマット通知メッセージ１０Ａに比較して、３Ｄストラクチャ領域３４及び予備領域３５に代えて、以下の各領域を含むことを特徴としている。
（１）３Ｄコンテンツデータ情報の有無、すなわち、送信されるビデオデータの種別が二次元のビデオデータ及び三次元のビデオデータのうちのいずれであるかを識別するデータを格納する１ビットの３Ｄ領域３２Ａ。３Ｄ領域３２Ａは、送信されるビデオデータが二次元のビデオデータであるときには０を格納する一方、送信されるビデオデータが三次元のビデオデータであるときには１を格納する。
（２）送信されるビデオデータの３Ｄストラクチャコード（図８参照。）を格納する４ビットの３Ｄストラクチャ領域４１。
（３）３Ｄメタデータ領域４７−０，４７−１，…，４７−Ｎがあるときに１を格納し、ないときに０を格納する１ビットの３Ｄメタデータプレゼント（３Ｄ＿Ｍｅｔａｄａｔａ＿ｐｒｅｓｅｎｔ）領域４３。
（４）３Ｄ拡張データを表すデータを格納する４ビットの３Ｄエクステンションデータ（３Ｄ＿Ｅｘｔ＿Ｄａｔａ）領域４４。
（５）３Ｄメタデータ領域４７−０，４７−１，…，４７−Ｎに格納される３Ｄメタデータのタイプを表すデータを格納する３ビットの３Ｄメタデータタイプ（３Ｄ＿Ｍｅｔａｄａｔａ＿ｔｙｐｅ）領域４５。
（６）３Ｄメタデータ領域４７−０，４７−１，…，４７−Ｎの総データ長を格納する５ビットの３Ｄメタデータ長（３Ｄ＿Ｍｅｔａｄａｔａ＿Ｌｅｎｇｔｈ）領域４６。
（７）８ビットのサイズをそれぞれ有しかつ３Ｄメタデータをそれぞれ格納するＮ＋１個（Ｎは０又は正の整数である。）の３Ｄメタデータ領域４７−０，４７−１，…，４７−Ｎ（３Ｄ＿Ｍｅｔａｄａｔａ＿０，３Ｄ＿Ｍｅｔａｄａｔａ＿１，…，３Ｄ＿Ｍｅｔａｄａｔａ＿Ｎ）。
（８）予備領域４９。
【００６１】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域４１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータ値を格納する。そして、ソース機器１１０Ａは、出力フォーマット通知メッセージ１０Ｃをシンク機器１２０Ａに送信した後に、シンク機器１２０ＡにＡＶデータを送信する。シンク機器１２０Ａは、ソース機器１１０からの出力フォーマット通知メッセージ１０Ｃの３Ｄストラクチャ領域４１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００６２】
例えば、ソース機器１１０Ａは、送信するビデオデータが三次元のビデオデータである場合、３Ｄ領域３２Ａを１にセットし、送信する３Ｄコンテンツデータに関するフォーマット情報である３Ｄメタデータに基づいて、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータを格納し、シンク機器１２０に通知する。ここで、３Ｄメタデータプレゼント領域４３に０がセットされているとき、３Ｄメタデータタイプ領域４５と、３Ｄメタデータ長領域４６と、３Ｄメタデータ領域４７−０，４７−１，…，４７−Ｎは設けられない。シンク機器１２０Ａは、受信した出力フォーマット通知メッセージ１０の３Ｄ領域３２Ａが１にセットされている場合、ソース機器１１０Ａから送信されるビデオデータが三次元のビデオデータであることを検出し、出力フォーマット通知メッセージ１０に格納された各データに基づいて、３Ｄコンテンツデータに関するフォーマット情報を取得する。また、ソース機器１１０Ａは、出力フォーマット通知メッセージ１０Ｃをシンク機器１２０Ａに送信した後に、３Ｄコンテンツデータをシンク機器１２０Ａに送信する。
【００６３】
また、ソース機器１１０Ａは、送信するビデオデータが二次元のビデオデータである場合、３Ｄ領域３２Ａを０にセットし、シンク機器１２０に通知する。ここで、３Ｄ領域３２Ａに格納される値が０の場合には、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとは設けられない。シンク機器１２０Ａは、３Ｄ領域３２Ａに格納された値が０である場合、ソース機器１１０から送信されるビデオデータが二次元のビデオデータであることを検出する。また、ソース機器１１０Ａは、出力フォーマット通知メッセージ１０Ｃをシンク機器１２０Ａに送信した後に、２次元のビデオデータを含む２Ｄコンテンツデータをシンク機器１２０Ａに送信する。
【００６４】
以上説明したように、本実施形態によれば、ワイヤレスＨＤの無線伝送方法において、ビデオデータの出力フォーマット通知メッセージ１０Ｃは、３Ｄ領域３２Ａと、３Ｄストラクチャ領域４１と、３Ｄメタデータプレゼント領域４３と、３Ｄエクステンションデータ領域４４と、３Ｄメタデータタイプ領域４３と、３Ｄメタデータ長領域４６と、３Ｄメタデータ領域４７−０，４７−１，…，４７−Ｎとを含む。従って、ソース機器１１０Ａがシンク機器１２０Ａに３Ｄコンテンツデータのビデオデータを送信する前に、出力フォーマット通知メッセージ１０Ｃの３Ｄ領域３２Ａと、３Ｄストラクチャ領域４１と、３Ｄメタデータプレゼント領域４３と、３Ｄエクステンションデータ領域４４と、３Ｄメタデータタイプ領域４３と、３Ｄメタデータ長領域４６と、３Ｄメタデータ領域４７−０，４７−１，…，４７−Ｎとを用いて、ビデオデータが三次元のビデオデータであることと、当該ビデオデータのフォーマット構造と、３Ｄコンテンツデータの各種フォーマット情報をシンク機器１２０Ａに通知することができる。また、シンク機器１２０Ａは、受信された出力フォーマット通知メッセージ１０Ｃの３Ｄ領域３２Ａ及び３Ｄストラクチャ領域４１に格納された各データに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ｃを用いて通知されたフォーマット構造で送信できる。
【００６５】
また、本実施形態によれば、ソース機器１１０Ａは、ビデオデータを送信する前に、ビデオデータを送信するためのパケットとは別の１つのパケットを用いて、出力フォーマット通知メッセージ１０Ｃをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。さらに、本実施形態に係る出力フォーマット通知メッセージ１０Ｃによれば、二次元のビデオデータ及び三次元のビデオデータに共通のパラメータを、領域２３〜３１に格納したので、ビデオデータの種別毎に別の出力フォーマットメッセージをシンク機器１２０Ａに送信する必要がない。
【００６６】
第５の実施形態．
図１５は、本発明の第５の実施形態に係る出力フォーマット通知メッセージ１０Ｄのフォーマットを示す図である。本実施形態に係る出力フォーマット通知メッセージ１０Ｄは、第２の実施形態に係るシンク機器１２０Ａからソース機器１１０Ａに送信される。本実施形態に係る出力フォーマット通知メッセージ１０Ｄは、第２の実施形態に係る出力フォーマット通知メッセージ１０Ａに比較して、以下の点が異なる。
（１）ビデオフォーマット情報を表すデータを格納するフォーマット種別領域１９に代えて、三次元ビデオフォーマット情報を表すデータを格納するフォーマット種別領域１９Ａを含む。
（２）領域２３〜３１，３４，３５に代えて、以下の各領域を含む。
（ａ）送信されるビデオデータの３Ｄストラクチャコードを格納する４ビットの３Ｄストラクチャ領域５１。
（ｂ）３Ｄメタデータ領域５７−０，５７−１，…，５７−Ｎがあるときに１を格納し、ないときに０を格納する１ビットの３Ｄメタデータプレゼント領域５３。
（ｃ）３Ｄ拡張データを表すデータを格納する４ビットの３Ｄエクステンションデータ領域５４。
（ｄ）３Ｄメタデータ領域５７−０，５７−１，…，５７−Ｎに格納される３Ｄメタデータのタイプを表すデータを格納する３ビットの３Ｄメタデータタイプ領域５５。
（ｅ）３Ｄメタデータ領域５７−０，５７−１，…，５７−Ｎの総データ長を格納する５ビットの３Ｄメタデータ長領域５６。
（ｆ）８ビットのサイズをそれぞれ有しかつ３Ｄメタデータをそれぞれ格納するＮ＋１個（Ｎは０又は正の整数である。）の３Ｄメタデータ領域５７−０，５７−１，…，５７−Ｎ。
（８）予備領域５９。
なお、領域５１，５３，５４，５５，５６，５７−０，５７−１，…，５７−Ｎはそれぞれ、上述した領域４１，４３，４４，４５，４６，４７−０，４７−１，…，４７−Ｎと同様に構成される。
【００６７】
本実施形態は、上記各実施形態に比較して、フォーマット種別領域１９Ａに格納されるデータとして、三次元ビデオフォーマット情報を表すデータを新たに定義したことを特徴としている。
【００６８】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域５１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域５３と、３Ｄエクステンションデータ領域５４と、３Ｄメタデータタイプ領域５５と、３Ｄメタデータ長領域５６と、３Ｄメタデータ領域５７−０，５７−１，…，５７−Ｎとに所定のデータ値を格納する。そして、ソース機器１１０Ａは、出力フォーマット通知メッセージ１０Ｃをシンク機器１２０Ａに送信した後に、シンク機器１２０ＡにＡＶデータを送信する。シンク機器１２０Ａは、ソース機器１１０からの出力フォーマット通知メッセージ１０Ｃの３Ｄストラクチャ領域５１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００６９】
例えば、ソース機器１１０Ａは、送信するビデオデータが三次元のビデオデータである場合、フォーマット種別領域１９Ａに３Ｄコンテンツデータ専用の出力フォーマットに関する通知メッセージデータ値、例えば、「０ｘ０７」をセットする。そして、送信する３Ｄコンテンツデータに関するフォーマット情報である３Ｄメタデータに基づいて、３Ｄストラクチャ領域５１と、３Ｄメタデータプレゼント領域５３と、３Ｄエクステンションデータ領域５４と、３Ｄメタデータタイプ領域５５と、３Ｄメタデータ長領域５６と、３Ｄメタデータ領域５７−０，５７−１，…，５７−Ｎとに所定の情報を格納し、シンク機器１２０Ａに通知する。シンク機器１２０Ａは、ソース機器１１０Ａからの出力フォーマット通知メッセージ１０Ｄに基づいて、送信される３Ｄコンテンツデータに関するフォーマット情報を取得する。ここで、３Ｄメタデータプレゼント領域５３に０がセットされているときは、３Ｄメタデータタイプ領域５５と、３Ｄメタデータ長領域５６と、３Ｄメタデータ領域５７−０，５７−１，…，５７−Ｎとは設けられない。また、ソース機器１１０Ａは、出力フォーマット通知メッセージ１０Ｃをシンク機器１２０Ａに送信した後に、３Ｄコンテンツデータをシンク機器１２０Ａに送信する。
【００７０】
また、ソース機器１１０Ａは、送信するビデオデータが二次元のビデオデータである場合、出力フォーマット通知メッセージ１０Ｄに代えて、従来技術に係るワイヤレスＨＤに準拠した出力フォーマット通知メッセージ（出力フォーマット通知メッセージ１０の３Ｄ領域３２及び予備領域３３に代えて、５ビットの予備領域を含む。）をシンク機器１２０Ａに送信する。
【００７１】
以上説明したように、本実施形態によれば、ワイヤレスＨＤの無線伝送方法において、ビデオデータの出力フォーマット通知メッセージ１０Ｄは、３Ｄストラクチャ領域５１と、３Ｄメタデータプレゼント領域５３と、３Ｄエクステンションデータ領域５４と、３Ｄメタデータタイプ領域５３と、３Ｄメタデータ長領域５６と、３Ｄメタデータ領域５７−０，５７−１，…，５７−Ｎとを含む。従って、ソース機器１１０Ａがシンク機器１２０Ａに３Ｄコンテンツデータのビデオデータを送信する前に、出力フォーマット通知メッセージ１０Ｃの３Ｄ領域３２Ａと、３Ｄストラクチャ領域５１と、３Ｄメタデータプレゼント領域５３と、３Ｄエクステンションデータ領域５４と、３Ｄメタデータタイプ領域５３と、３Ｄメタデータ長領域５６と、３Ｄメタデータ領域５７−０，５７−１，…，５７−Ｎとを用いて、ビデオデータが三次元のビデオデータであることと、当該ビデオデータのフォーマット構造と、３Ｄコンテンツデータの各種フォーマット情報をシンク機器１２０Ａに通知することができる。また、シンク機器１２０Ａは、受信された出力フォーマット通知メッセージ１０Ｃの３Ｄ領域３２Ａ及び３Ｄストラクチャ領域５１に格納された各データに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ｃを用いて通知されたフォーマット構造で送信できる。
【００７２】
また、本実施形態によれば、ソース機器１１０Ａは、ビデオデータを送信する前に、ビデオデータを送信するためのパケットとは別の１つのパケットを用いて、出力フォーマット通知メッセージ１０Ｄをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。
【００７３】
第６の実施形態．
図１６は、本発明の第６の実施形態に係る出力フォーマット通知メッセージ１０Ｅのフォーマットを示す図である。本実施形態に係る出力フォーマット通知メッセージ１０Ｅは、第２の実施形態に係るシンク機器１２０Ａからソース機器１１０Ａに送信される。本実施形態に係る出力フォーマット通知メッセージ１０Ｅは、第４の実施形態に係る出力フォーマット通知メッセージ１０Ｃに比較して、予備領域３３に代えて、２ビットのフィールド周波数選択領域６１と２ビットの予備領域６２とを含むことを特徴としている。
【００７４】
図１６において、フィールド周波数選択領域６１は、送信されるビデオデータのＶＩＣによって２つのフィールドレートが識別される場合に、当該ビデオデータのフィールドレートが上記２つのフィールドレートのうちの低い方のフィールドレートであるときには０を格納し、高い方のフィールドレートであるときには１を格納し、両方のフィールドレートであるときには２を格納する。
【００７５】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域４１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータ値を格納する。そして、ソース機器１１０Ａは、出力フォーマット通知メッセージ１０Ｃをシンク機器１２０Ａに送信した後に、シンク機器１２０ＡにＡＶデータを送信する。シンク機器１２０Ａは、ソース機器１１０からの出力フォーマット通知メッセージ１０Ｃの３Ｄストラクチャ領域４１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００７６】
例えば、ソース機器１１０Ａは、送信するビデオデータが三次元のビデオデータである場合、３Ｄ領域３２Ａを１にセットし、送信する３Ｄコンテンツデータに関するフォーマット情報である３Ｄメタデータに基づいて、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータを格納し、シンク機器１２０に通知する。ここで、フィールド周波数選択領域６１は、ビデオコード領域２２に格納されたＶＩＣによって２つのフィールドレートが識別される場合には、当該２つのフィールドレートのうちの少なくとも一方を選択するためのデータを格納する。例えば、図２に示すように、ＶＩＣが２０の場合は、２３．９７Ｈｚと２４Ｈｚの各フィールドレートが識別されるが、フィールド周波数選択領域６１に１を格納することにより２３．９７Ｈｚを選択し、２を格納することにより２４Ｈｚを選択し、０を格納することにより２３．９７Ｈｚと２４Ｈｚとの両方を選択できる。シンク機器１２０Ａは、受信した出力フォーマット通知メッセージ１０の３Ｄ領域３２Ａが１にセットされている場合、ソース機器１１０Ａから送信されるビデオデータが三次元のビデオデータであることを検出し、出力フォーマット通知メッセージ１０に格納された各データに基づいて、３Ｄコンテンツデータに関するフォーマット情報を取得する。また、シンク機器１２０Ａは、ビデオコード領域２２に格納されたＶＩＣ及びフィールド周波数選択領域６１の値に基づいてＶＩＣテーブル１２７ｔを参照して、フィールドレートを選択して取得する。また、ソース機器１１０Ａは、出力フォーマット通知メッセージ１０Ｃをシンク機器１２０Ａに送信した後に、３Ｄコンテンツデータをシンク機器１２０Ａに送信する。
【００７７】
また、ソース機器１１０Ａは、送信するビデオデータが二次元のビデオデータである場合、３Ｄ領域３２Ａを０にセットし、シンク機器１２０に通知する。ここで、３Ｄ領域３２Ａに格納される値が０の場合には、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとは設けられない。シンク機器１２０Ａは、３Ｄ領域３２Ａに格納された値が０である場合、ソース機器１１０から送信されるビデオデータが二次元のビデオデータであることを検出する。また、ソース機器１１０Ａは、出力フォーマット通知メッセージ１０Ｃをシンク機器１２０Ａに送信した後に、２次元のビデオデータを含む２Ｄコンテンツデータをシンク機器１２０Ａに送信する。ここで、フィールド周波数選択領域６１に格納される値は、ソース機器１１０が送信するビデオデータが二次元のビデオデータであるか、三次元のビデオデータであるかに依存しない。
【００７８】
以上説明したように、本実施形態によれば、ワイヤレスＨＤの無線伝送方法において、ビデオデータの出力フォーマット通知メッセージ１０Ｅがフィールド周波数選択領域６１を含むので、第４の実施形態に比較して、ビデオコード領域２２に格納されたＶＩＣによって２つのフィールドレートが識別されるときに、当該２つのフィールドレートのうちの少なくとも一方を選択することができるという特有の作用効果を奏する。
【００７９】
第７の実施形態．
図４７及び図４８は、本発明の第７の実施形態に係るＶＩＣテーブル１１５ｔａ及び１２７ｔａを示す表である。本実施形態は、第３の実施形態に比較して、ＶＩＣの割り当て方のみが異なる。本実施形態において、９６から９９までの間の各ＶＩＣは、三次元のビデオデータのビデオフォーマットに対して割り当てられている。本実施形態は、第３の実施形態と同様の特有の作用効果を奏する。
【００８０】
なお、上記各実施形態において、ソース機器１１０，１１０Ａ，１１０Ｂを、シンク機器１２０，１２０Ａ，１２０ＢとそれぞれワイヤレスＨＤに準拠した無線伝送路で無線接続しているが、本発明はこれに限らず、ワイヤレスＨＤ以外の無線通信規格に準拠した無線伝送路又は有線伝送ケーブルを用いて接続してもよい。この場合、ソース機器は、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージ１０，１０Ａ，１０Ｂ，１０Ｃ，１０Ｄ又は１０Ｅを、上記シンク機器に送信する。また、シンク機器は、出力フォーマット通知メッセージ１０，１０Ａ，１０Ｂ，１０Ｃ，１０Ｄ又は１０Ｅを上記ソース機器から受信し、上記受信された出力フォーマット通知メッセージ１０，１０Ａ，１０Ｂ，１０Ｃ，１０Ｄ又は１０Ｅに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードする。
【００８１】
なお、上記各実施形態において、３Ｄストラクチャコードに割り当てられる値は、図８に示された値以外の値であってもよいし、三次元のビデオデータのフォーマット構造は、図８に示したものに限らない。また、ＶＩＣテーブル１１５ｔａ及び１２７ｔａにおいて三次元のビデオデータのフォーマットに割り当てられる値は、第３及び第７の実施形態において割り当てられた値に限らない。さらに、第３及び第７の実施形態において、３種類の３ＤコンテンツのビデオフォーマットにＶＩＣを割り当てたが、ビデオフォーマットの数は３種類に限らず、上述した３種類のビデオフォーマット以外の有効画素数やフィールドレートやストラクチャ構造を持った３Ｄコンテンツのビデオフォーマットであってもよい。
【００８２】
また、上記各実施形態において、帯域管理部１２１ｂはシンク機器１２０，１２０Ａ及び１２０Ｂに設けられたが、本発明はこれに限らず、ソース機器１１０，１１０Ａ及び１１０Ｂ又は他の機器に設けられてもよい。
【産業上の利用可能性】
【００８３】
以上詳述したように、本発明に係るビデオデータの伝送方法、当該ビデオデータを送信するソース機器、当該ビデオデータを受信するシンク機器、並びに当該ソース機器及びシンク機器を備えた通信システムによれば、ソース機器は、ビデオデータをシンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信する。また、シンク機器は、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードするので、三次元のビデオデータを伝送できる。【００８４】
本発明は特に、例えば、ワイヤレスＨＤなどの無線通信規格に準拠した無線通信システムにおける非圧縮のＡＶコンテンツデータの伝送に利用できる。
【符号の説明】
【００８５】
１…デバイス能力要求メッセージ、
２…デバイス能力応答メッセージ、
６…接続要求メッセージ、
７…接続応答メッセージ、
１０，１０Ｂ，１０Ｃ，１０Ｄ，１０Ｅ…出力フォーマット通知メッセージ、
１１…オペコード領域、
１２…シンクポート領域、
１３…ＶＰ領域、
１４…ＡＰ領域、
１５…ソースポート領域、
１６…総データ長領域、
１７…Ｒ領域、
１８…予備領域、
１９，１９Ａ…フォーマット種別領域、
２０…バージョン情報領域、
２１…データ長領域、
２２，２２Ａ…ビデオコード領域、
２３…ＣＳ領域、
２４…ＣＤ領域、
２５…ＰＡＲ領域、
２６…ＣＭ領域、
２７…ＡＦＡＲ領域、
２８…ＣＦ領域、
２９…ＱＲ領域、
３０…Ｄ領域、
３１…ＩＤ領域、
３２，３２Ａ…３Ｄ領域、
３３…予備領域、
３４…３Ｄストラクチャ領域、
３５…予備領域、
３６…予備領域、
４１…３Ｄストラクチャ領域、
４３…３Ｄメタデータプレゼント領域、
４４…３Ｄエクステンションデータ領域、
４５…３Ｄメタデータタイプ領域、
４６…３Ｄメタデータ長領域、
４７−０，４７−１〜４７−Ｎ…３Ｄメタデータ領域、
４９…予備領域、
５１…３Ｄストラクチャ領域、
５３…３Ｄメタデータプレゼント領域、
５４…３Ｄエクステンションデータ領域、
５５…３Ｄメタデータタイプ領域、
５６…３Ｄメタデータ長領域、
５７−０，５７−１〜５７−Ｎ…３Ｄメタデータ領域、
５９…予備領域、
６１…フィールド周波数選択領域、
６２…予備領域、
１１０，１１０Ａ，１１０Ｂ…ソース機器、
１１１…コントローラ、
１１２…映像音声再生装置、
１１３…パケット処理回路、
１１４…パケット無線送受信回路、
１１５…メモリ、
１１５ｔ，１１５ｔａ…ＶＩＣテーブル、
１１５ｖ…３Ｄストラクチャテーブル、
１１６…アンテナ、
１２０，１２０Ａ，１２０Ｂ…シンク機器、
１２１…コントローラ、
１２２…パケット無線送受信回路、
１２３…パケット処理回路、
１２４…映像音声処理回路、
１２５…スピーカ、
１２６…ディスプレイ、
１２７…メモリ、
１２７ｄ…ＥＤＩＤデータ、
１２７ｔ，１２７ｔａ…ＶＩＣテーブル、
１２７ｖ…３Ｄストラクチャテーブル、
１８１…左目用ビデオフレームデータ、
１８２…右目用ビデオフレームデータ、
１８３…合成ビデオフレームデータ。
【図１】
2010131314.tif 000003
【図２】
2010131314.tif 000004
【図３】
2010131314.tif 000005
【図４】
2010131314.tif 000006
【図５】
2010131314.tif 000007
【図６】
2010131314.tif 000008
【図７】
2010131314.tif 000009
【図８】
2010131314.tif 000010
【図９】
2010131314.tif 000011
【図１０】
2010131314.tif 000012
【図１１】
2010131314.tif 000013
【図１２】
2010131314.tif 000014
【図１３】
2010131314.tif 000015
【図１４】
2010131314.tif 000016
【図１５】
2010131314.tif 000017
【図１６】
2010131314.tif 000018
【図１７】
2010131314.tif 000019
【図１８】
2010131314.tif 000020
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
ソース機器からシンク機器にビデオデータを伝送する通信システムのためのソース機器において、
上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージを、上記シンク機器に送信する第１の制御手段と、
上記ビデオデータが三次元のビデオデータであるときに、ビデオフレーム毎に、上記第１のビデオフレームデータと上記第２のビデオフレームデータとを合成ビデオフレームデータに合成し、上記合成ビデオフレームデータを上記シンク機器に送信する送信手段とを備え、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするソース機器。
【請求項２】
（削除）
【請求項３】
（削除）
【請求項４】
（削除）
【請求項５】
（削除）
【請求項６】
（削除）
【請求項７】
上記フォーマット情報は、上記送信されるビデオデータのフィールドレートと、垂直有効画素数と、水平有効画素数と、垂直同期周波数とをさらに含むことを特徴とする請求項１記載のソース機器。
【請求項８】
上記出力フォーマット通知メッセージは、上記二次元のビデオデータ及び上記三次元のビデオデータに共通のパラメータを含むことを特徴とする請求項１記載のソース機器。
【請求項９】
ソース機器からシンク機器にビデオデータを伝送する通信システムのためのシンク機器において、
上記ソース機器によって送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別する第２の制御手段と、
上記ソース機器から上記ビデオデータを受信し、上記ビデオデータを、上記識別された種別及びフォーマット情報に基づいてデコードする受信手段とを備え、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするシンク機器。
【請求項１０】
ソース機器からシンク機器にビデオデータを伝送する通信システムにおいて、
請求項１記載のソース機器と、
請求項９記載のシンク機器とを備えたことを特徴とする通信システム。
【請求項１１】
ソース機器からシンク機器にビデオデータを伝送する通信システムのためのビデオデータの伝送方法において、
上記ソース機器により、上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信するステップと、
上記シンク機器により、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別するステップと、
上記シンク機器により、上記ソース機器から上記ビデオデータを受信し、上記ビデオデータを、上記識別された種別及びフォーマット情報に基づいてデコードするステップとを含み、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするビデオデータの伝送方法。
【手続補正書】
【提出日】平成23年11月29日(2011.11.29)
【手続補正１】
【補正対象書類名】明細書
【補正対象項目名】全文
【補正方法】変更
【補正の内容】
【発明の詳細な説明】
【技術分野】
【０００１】
本発明は、ビデオデータの伝送方法、当該ビデオデータを送信するソース機器、当該ビデオデータを受信するシンク機器、並びに当該ソース機器及びシンク機器を備えた無線通信システムに関し、特に、右目用ビデオフレームデータ及び左目用ビデオフレームデータなどの第１及び第２のビデオフレームデータを含む三次元（以下、３Ｄ又は立体（ｓｔｅｒｅｏｓｃｏｐｉｃ）ともいう。）のビデオデータの伝送方法、当該ビデオデータを送信するソース機器、当該ビデオデータを受信するシンク機器、並びに当該ソース機器及びシンク機器を備えた通信システムに関する。
【背景技術】
【０００２】
音声及び映像機器（以下、ＡＶ（Ａｕｄｉｏ  ａｎｄ  Ｖｉｓｕａｌ）機器という。）間で非圧縮のベースバンド映像信号とデジタル音声信号をワイヤレス伝送するための標準規格であるワイヤレスＨＤ（ＷｉｒｅｌｅｓｓＨＤ）が策定されている。ワイヤレスＨＤはデジタルビデオレコーダやセットトップボックス、パーソナルコンピュータなどのソース機器に蓄えられた高精細の動画データを、ソース機器をシンク機器にケーブル接続することなくハイビジョンテレビなどのシンク機器で視聴するための技術仕様である。また、双方向のコントロール信号も含んでいるので、テレビジョン装置とデジタルビデオレコーダを連動させるように制御することや、複数のＡＶ機器を用いてホームシアターなどを構成してこれらのＡＶ機器を一元的に制御することができ、これらの制御のためのプロトコルが定義されている。加えて、ワイヤレスＨＤは高品質のコンテンツの伝送が可能であるために、提供されるコンテンツが不正に再生されたり、違法にコピーされたりしないように、コンテンツ保護方式としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。
【０００３】
従来技術に係るワイヤレスＨＤの無線伝送方法については、例えば、特許文献１及び２並びに非特許文献１に記載されている。また、従来技術に係るＡＶデータの無線伝送方法については、特許文献３及び４に記載されている。
【先行技術文献】
【特許文献】
【０００４】
【特許文献１】特開２００８−２５２９２９号公報。
【特許文献２】特開２００９−４８７７号公報。
【特許文献３】米国特許出願公開第２００８／０３２０５３９号明細書。
【特許文献４】米国特許出願公開第２００８／０１２９８７９号明細書。
【特許文献５】米国特許出願公開第２００２／００３０６７５号明細書。
【特許文献６】特開２００２−９５０１８号公報。
【非特許文献】
【０００５】
【非特許文献１】ＷｉｒｅｌｅｓｓＨＤ  Ｓｐｅｃｉｆｉｃａｔｉｏｎ  Ｖｅｒｓｉｏｎ  １．０  Ｏｖｅｒｖｉｅｗ、２００７年１０月９日。
【発明の概要】
【発明が解決しようとする課題】
【０００６】
しかしながら、従来技術に係るワイヤレスＨＤでは、ビデオデータが１つのフレームデータを含む二次元（２Ｄ又は平面（ｆｌａｔ）ともいう。）のコンテンツデータ（以下、二次元データという。）であることを想定していた。このため、ビデオデータが右目用ビデオフレームデータと左目用ビデオフレームデータなどの第１及び第２のビデオフレームデータを含む三次元のコンテンツデータ（以下、三次元データという。）の場合には、当該三次元のコンテンツデータを、ソース機器から３Ｄテレビジョン装置等のシンク機器に無線送信できなかった。
【０００７】
また、特許文献５及び６は上記三次元データの伝送方法を開示しているが、ワイヤレスＨＤにおいて三次元データを無線伝送するための具体的な方法な構成を開示してはいなかった。
【０００８】
本発明の目的は以上の問題点を解決し、右目用ビデオフレームデータと左目用ビデオフレームデータなどの第１及び第２のビデオフレームデータを含む三次元のビデオデータを伝送できるビデオデータの伝送方法、当該ビデオデータを送信するソース機器、当該ビデオデータを受信するシンク機器、並びに当該ソース機器及びシンク機器を備えた通信システムを提供することにある。
【課題を解決するための手段】
【０００９】
第１の発明に係るソース機器は、ソース機器からシンク機器にビデオデータを伝送する通信システムのためのソース機器において、
上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージを、上記シンク機器に送信する第１の制御手段を備えたことを特徴とする。
【００１０】
上記ソース機器において、上記ソース機器は、上記ビデオデータが三次元のビデオデータであるときに、ビデオフレーム毎に、上記第１のビデオフレームデータと上記第２のビデオフレームデータとを合成ビデオフレームデータに合成し、上記合成ビデオフレームデータを上記シンク機器に送信する送信手段を備え、
上記フォーマット情報は、上記第１のビデオフレームデータと上記第２のビデオフレームデータとを合成ビデオフレームデータに合成するためのパラメータを識別するためのフォーマット構造の情報を含むことを特徴とする。
【００１１】
また、上記ソース機器において、上記出力フォーマット通知メッセージは、上記送信されるビデオデータが上記二次元のビデオデータと、所定のフォーマット構造を用いて送信される三次元のビデオデータとのうちのいずれであるかを表すデータを格納する３Ｄ領域を含むことを特徴とする請求項２記載のソース機器。
【００１２】
さらに、上記ソース機器において、上記出力フォーマット通知メッセージは、上記送信するビデオデータの種別が上記二次元のビデオデータ及び上記三次元のビデオデータのうちのいずれであるか、及び、上記送信されるビデオデータが三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域を含むことを特徴とする請求項２記載のソース機器。
【００１３】
またさらに、上記ソース機器において、上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とする請求項２記載のソース機器。
【００１４】
また、上記ソース機器において、上記出力フォーマット通知メッセージは、
（ａ）上記送信されるビデオデータの種別が二次元のビデオデータ及び三次元のビデオデータのうちのいずれであるかを識別するデータを格納する３Ｄ領域と、
（ｂ）上記送信されるビデオデータの種別が三次元のビデオデータである場合に当該三次元のビデオデータが所定の複数のフォーマット構造のうちのどのフォーマット構造を用いて送信されるかを識別するための３Ｄストラクチャコードを格納する３Ｄストラクチャ領域と、
（ｃ）上記送信されるビデオデータの種別が三次元のビデオデータである場合に当該三次元のビデオデータの３Ｄメタデータを格納する３Ｄメタデータ領域とを含むことを特徴とする請求項２記載のソース機器。
【００１５】
さらに、上記ソース機器において、上記フォーマット情報は、上記送信されるビデオデータのフィールドレートと、垂直有効画素数と、水平有効画素数と、垂直同期周波数とをさらに含むことを特徴とする請求項２から６までのうちのいずれか１つの請求項記載のソース機器。
【００１６】
またさらに、上記ソース機器において、上記出力フォーマット通知メッセージは、上記二次元のビデオデータ及び上記三次元のビデオデータに共通のパラメータを含むことを特徴とする請求項１から７までのうちのいずれか１つの請求項記載のソース機器。
【００１７】
第２の発明に係るシンク機器は、ソース機器からシンク機器にビデオデータを伝送する通信システムのためのシンク機器において、
上記ソース機器によって送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別する第２の制御手段と、
上記ソース機器から上記ビデオデータを受信し、上記ビデオデータを、上記識別された種別及びフォーマット情報に基づいてデコードする受信手段とを備えたことを特徴とするシンク機器。
【００１８】
第３の発明に係る通信システムは、ソース機器からシンク機器にビデオデータを伝送する通信システムにおいて、上記ソース機器と、上記シンク機器とを備えたことを特徴とする。
【００１９】
第４の発明に係るビデオデータの伝送方法は、ソース機器からシンク機器にビデオデータを伝送する通信システムのためのビデオデータの伝送方法において、
上記ソース機器により、上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信するステップと、
上記シンク機器により、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別するステップと、
上記シンク機器により、上記ソース機器から上記ビデオデータを受信し、上記ビデオデータを、上記識別された種別及びフォーマット情報に基づいてデコードするステップとを含むことを特徴とする。
【発明の効果】
【００２０】
本発明に係るビデオデータの伝送方法、当該ビデオデータを送信するソース機器、当該ビデオデータを受信するシンク機器、並びに当該ソース機器及びシンク機器を備えた通信システムによれば、ソース機器は、ビデオデータをシンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信する。また、シンク機器は、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードするので、三次元のビデオデータを伝送できる。
【図面の簡単な説明】
【００２１】
【図１】本発明の第１の実施形態に係るビデオデータの伝送方法を用いてビデオデータを伝送する無線通信システムの構成を示すブロック図である。
【図２】図１のＶＩＣ（Ｖｉｄｅｏ  ｆｏｒｍａｔ  Ｉｄｅｎｔｉｆｉｃａｔｉｏｎ  Ｃｏｄｅ）テーブル１１５ｔ及び１２７ｔの第１の部分を示す表である。
【図３】図１のＶＩＣテーブル１１５ｔ及び１２７ｔの第２の部分を示す表である。
【図４】図１の無線通信システムの動作を示すシーケンス図である。
【図５】図４の出力フォーマット通知メッセージ１０のフォーマットを示す図である。
【図６】図１のソース機器１１０によって生成される合成ビデオフレームデータ１８３の水平同期信号と垂直同期信号との関係に基づいたデータ配置図である。
【図７】本発明の第２の実施形態に係るビデオデータの伝送方法を用いてビデオデータを伝送する無線通信システムの構成を示すブロック図である。
【図８】図７の３Ｄストラクチャテーブル１１５ｖ及び１２７ｖを示す表である。
【図９】本発明の第２の実施形態に係る出力フォーマット通知メッセージ１０Ａのフォーマットを示す図である。
【図１０】本発明の第３の実施形態に係るビデオデータの伝送方法を用いてビデオデータを伝送する無線通信システムの構成を示すブロック図である。
【図１１】図１０のＶＩＣテーブル１１５ｔａ及び１２７ｔａの第１の部分を示す表である。
【図１２】図１０のＶＩＣテーブル１１５ｔａ及び１２７ｔａの第２の部分を示す表である。
【図１３】本発明の第３の実施形態に係る出力フォーマット通知メッセージ１０Ｂのフォーマットを示す図である。
【図１４】本発明の第４の実施形態に係る出力フォーマット通知メッセージ１０Ｃのフォーマットを示す図である。
【図１５】本発明の第５の実施形態に係る出力フォーマット通知メッセージ１０Ｄのフォーマットを示す図である。
【図１６】本発明の第６の実施形態に係る出力フォーマット通知メッセージ１０Ｅのフォーマットを示す図である。
【図１７】本発明の第７の実施形態に係るＶＩＣテーブル１１５ｔａ及び１２７ｔａの第１の部分を示す表である。
【図１８】本発明の第７の実施形態に係るＶＩＣテーブル１１５ｔａ及び１２７ｔａの第２の部分を示す表である。
【発明を実施するための形態】
【００２２】
以下、本発明に係る実施形態について図面を参照して説明する。なお、以下の各実施形態において、同様の構成要素については同一の符号を付している。
【００２３】
第１の実施形態．
図１は、本発明の第１の実施形態に係るビデオデータの伝送方法を用いてビデオデータを伝送する無線通信システムの構成を示すブロック図であり、図２及び図３は、図１のＶＩＣテーブル１１５ｔ及び１２７ｔを示す表である。
【００２４】
詳細後述するように、本実施形態に係るソース機器１１０は、ビデオデータをシンク機器１２０に送信する前に、上記送信されるビデオデータの種別が（ａ）左目用ビデオフレームデータ１８１と右目用ビデオフレームデータ１８２とを含む三次元のビデオデータと、（ｂ）１つのビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージ１０を、上記シンク機器に送信するコントローラ１１１を備えたことを特徴としている。さらに、ソース機器１１０は、送信するビデオデータが三次元のビデオデータであるときに、ビデオフレーム毎に、左目用ビデオフレームデータ１８１と右目用ビデオフレームデータ１８２とを合成ビデオフレームデータ１８３に合成するパケット処理回路１１３と、合成ビデオフレームデータ１８３をシンク機器１２０に送信するパケット無線送受信回路１１４とを備えたことを特徴としている。なお、ソース機器１１０において、パケット無線送受信回路１１４と、パケット処理回路１１３とは、送信回路を構成する。
【００２５】
また、シンク機器１２０は、出力フォーマット通知メッセージ１０をソース機器１１０から受信し、上記受信された出力フォーマット通知メッセージ１０に基づいて、送信されるビデオデータの種別、及び上記送信されるビデオデータの種別が三次元のビデオデータである場合の当該三次元のビデオデータのフォーマット情報を識別するコントローラ１２１と、ソース機器１１０からビデオデータを受信するパケット無線送受信回路１２２と、ビデオデータを上記識別された種別及びフォーマット情報に基づいてデコードするパケット処理回路１２３とを備えたことを特徴としている。なお、シンク機器１２０において、パケット無線送受信回路１２２と、パケット処理回路１２３とは、受信回路を構成する。
【００２６】
図１において、本実施形態に係る無線通信システムは、ワイヤレスＨＤに準拠している。ＡＶコンテンツデータのソース機器として機能するソース機器１１０は、映像音声再生装置１１２と、パケット処理回路１１３と、アンテナ１１６を備えたパケット無線送受信回路１１４と、ＶＩＣテーブル１１５ｔをあらかじめ格納するメモリ１１５と、これらの装置及び回路１１２〜１１５の動作を制御するコントローラ１１１とを備えて構成される。映像音声再生装置１１２は、例えばＤＶＤプレーヤであって、外部の記憶装置又はＭＤ、ＤＶＤなどの記録媒体からビデオデータ及びオーディオデータを再生してパケット処理回路１１３に出力する。パケット処理回路１１３は、入力されるビデオデータ及びオーディオデータを、ビデオフレーム毎に所定のパケットの形式のデジタル信号に変換してパケット無線送受信回路１１４に出力する。さらに、パケット処理回路１１３は、コントローラ１１１からの制御メッセージ（例えば、詳細後述する出力フォーマット通知メッセージ１０である。）を所定のパケットの形式のデジタル信号に変換してパケット無線送受信回路１１４に出力する。パケット無線送受信回路１１４は入力されるデジタル信号に従って搬送波信号をデジタル変調し、変調後の無線信号を、アンテナ１１６を介してシンク機器１２０のパケット無線送受信回路１２２に無線送信する。一方、シンク機器１２０から無線送信される無線信号はアンテナ１１６を介してパケット無線送受信回路１１４によって受信され、パケット無線送受信回路１１４は受信された無線信号をベースバンド信号に復調した後、パケット処理回路１１３に出力する。パケット処理回路１１３は、入力されるベースバンド信号から所定のパケット分離処理により所定の制御コマンドのみを取り出した後にコントローラ１１１に出力する。
【００２７】
また、シンク機器１２０は、アンテナ１２８を備えたパケット無線送受信回路１２２と、パケット処理回路１２３と、映像音声処理回路１２４と、スピーカ１２５と、二次元のビデオデータ及び三次元のビデオデータを表示するディスプレイ１２６と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）データ１２７ｄ及びＶＩＣテーブル１２７ｔをあらかじめ格納するメモリ１２７と、これらの回路等１２２〜１２４，１２７の動作を制御するコントローラ１２１とを備えて構成される。また、コントローラ１２１は、無線ネットワークの使用帯域及び信号送出のタイミング制御を管理する帯域管理部１２１ｂを備えて構成される。パケット無線送受信回路１２２は、アンテナ１２８を介して受信された無線信号をベースバンド信号に復調した後、パケット処理回路１２３に出力する。パケット処理回路１２３は、入力されるデジタル信号から所定のパケット分離処理によりビデオデータ、オーディオデータ及び所定の制御コマンドのみを取り出すことにより受信されたパケットをデコードし、ビデオデータ及びオーディオデータを映像音声処理回路１２４に出力する一方、制御コマンドをコントローラ１２１に出力する。映像音声処理回路１２４は入力されるオーディオデータを所定の信号処理やＤ／Ａ変換処理を実行した後、スピーカ１２５に出力して音声の出力を行う一方、入力されるビデオデータを所定の信号処理やＤ／Ａ変換処理を実行した後、ディスプレイ１２６に出力して表示する。
【００２８】
図２及び図３において、ＶＩＣテーブル１１５ｔ及び１２７ｔはそれぞれ、ビデオデータの複数のビデオフォーマットを識別するためのＶＩＣ（ビデオフォーマット情報識別子）を含む。ここで、ビデオフォーマットはシンク機器１２０におけるビデオデータの出力仕様を表し、ビデオデータの垂直有効画素数、水平有効画素数、走査方法（プログレッシブ（ｐ）又はインターレース（ｉ））、及び垂直同期周波数（以下、フィールドレートともいう。）の各情報を含む。本実施形態において、ＶＩＣは二次元のビデオデータの各ビデオフォーマットにそれぞれ割り当てられている。また、ＥＤＩＤデータ１２７ｄは、ＶＩＣテーブル１２７ｔに含まれるＶＩＣのうちディスプレイ１２６を用いて表示可能なビデオデータの各ＶＩＣ、ディスプレイ１２６の製品情報及び製造者名、映像符号化方式（例えば、ＲＧＢ、ＹＣＢＣＲ４：４：４又はＹＣＢＣＲ４：２：２）及び音声出力サンプリング等の音声出力仕様（以下、オーディオフォーマットという。）等のデータを含む。
【００２９】
図４は、図１の無線通信システムの動作を示すシーケンス図である。まず始めに、ソース機器１１０とシンク機器１２０との間で、シンク機器１２０がサポートするビデオフォーマットの情報及びオーディオフォーマットの情報をソース機器１１０が取得するためのデバイス能力取得処理（入力フォーマット取得処理）が実行される。デバイス能力取得処理において、ソース機器１１０は、シンク機器１２０のデバイス能力の情報を要求するデバイス能力要求（ＤＥＶＩＣＥ＿ＣＡＰＡＢＩＬＩＴＹ＿ＲＥＱＵＥＳＴ）メッセージ（デバイス情報要求メッセージともいう。）１をシンク機器１２０に無線送信する。これに応答して、シンク機器１２０は、シンク機器１２０のデバイス能力の情報を含むデバイス能力応答（ＤＥＶＩＣＥ＿ＣＡＰＡＢＩＬＩＴＹ＿ＲＥＳＰＯＮＳＥ）メッセージ（デバイス情報応答メッセージともいう。）２をソース機器１１０に無線送信する。
【００３０】
次に、図４において、ソース機器１１０とシンク機器１２０との間で、機器接続処理が行われる。本実施形態では、ソース機器１１０が機器接続処理、ポート予約処理及び帯域予約処理を起動（イニシエート）する。機器接続処理において、始めに、ソース機器１１０はワイヤレスＨＤに準拠した接続要求（ＣＯＮＮＥＣＴ＿ＲＥＱＵＥＳＴ）メッセージ６をシンク機器１２０に無線送信することにより、ＡＶデータをシンク機器１２０に送信するか否かを確認する。このとき、接続要求メッセージ６のＳビットは０にセットされ、ポート領域はソースポートを表すデータを格納する。シンク機器１２０は、接続要求メッセージ６を受信すると、ソース機器１１０からの接続要求に対する結果の情報を含むワイヤレスＨＤに準拠した接続応答（ＣＯＮＮＥＣＴ＿ＲＥＳＰＯＮＳＥ）メッセージ７をソース機器１１０に無線送信する。ここで、シンク機器１２０は、ソース機器１１０からの接続要求を受け入れるときは、接続応答メッセージ７の結果コード領域に「成功」を表すデータを格納し、シンクポート領域にＡＶデータ伝送のために予約されたシンクポートのデータを格納する。接続要求メッセージ６のＲＦビットに１がセットされている場合には、シンク機器１２０は、接続応答メッセージ７の所定の領域（総データ長領域、フォーマット種別領域、データ長領域及びフォーマットデータ領域）に、サポートされるフォーマットの情報を格納する。接続要求メッセージ６のＲＦビットに０がセットされている場合には、シンク機器１２０は、接続応答メッセージ７の総データ長領域に０を格納する。シンク機器１２０は、ソース機器１１０からの接続要求を拒否するときは、接続応答メッセージ７の結果コード領域に適切な理由を有する「失敗」を表すデータを格納する。
【００３１】
図４において、ソース機器１１０は、「成功」を示す接続応答メッセージ７を無線受信すると、ソース機器１１０からシンク機器１２０にビデオデータ及びオーディオデータを含むＡＶコンテンツデータを伝送するための伝送帯域を確保するためのワイヤレスＨＤに準拠した帯域（リソース）予約処理を行う。帯域予約処理において、ソース機器１１０は、ＡＶデータを送信するための帯域を要求して予約するために帯域要求コマンドをシンク機器１２０に無線送信する。これに応答して、シンク機器１２０の帯域管理部１２１ｂは、ソース機器１１０からシンク機器１２０にＡＶコンテンツデータを送信するために必要な予約期間を割り当て、割り当てた予約期間の情報を含む期間指定コマンドをソース機器１１０に無線送信する。
【００３２】
さらに、図４において、ソース機器１１０は帯域予約処理を正常に終了すると、ＡＶデータをシンク機器１２０に送信する前に、及び、ＡＶデータのビデオフォーマット及びオーディオフォーマットのうちの少なくとも一方が変更されたときに、送信するＡＶデータのビデオフォーマット及びオーディオフォーマットを含む出力フォーマット通知メッセージ（ＯＵＴＰＵＴ＿ＦＯＲＭＡＴ＿ＮＯＴＩＦＹ）１０を、シンク機器１２０に送信する。そして、ソース機器１１０は、ＡＶデータをシンク機器１２０に送信する。シンク機器１２０は、ソース機器１１０からの出力フォーマット通知メッセージ１０に基づいて、送信されるＡＶデータのビデオフォーマット及びオーディオフォーマットを識別し、識別されたビデオフォーマット及びオーディオフォーマットに基づいて、受信したＡＶデータをデコードする。
【００３３】
図５は、図４の出力フォーマット通知メッセージ１０のフォーマットを示す図である。図５において、出力フォーマット通知メッセージ１０は以下の各領域を含む。
（１）出力フォーマット通知メッセージ１０のオペレーションコードを格納する１６ビットのオペコード（Ｏｐｃｏｄｅ）領域１１。
（２）ＡＶデータの伝送のために予約されたシンクポート番号を格納する６ビットのシンクポート（ＳｉｎｋＰｏｒｔ）領域１２。
（３）シンクポート及びソースポートがビデオデータのために用いられるときには１を格納し、シンクポート及びソースポートがビデオデータのために用いられないときには０を格納する１ビットのＶＰ領域１３。
（４）シンクポート及びソースポートがオーディオデータのために用いられるときには１を格納し、シンクポート及びソースポートがオーディオデータのために用いられないときには０を格納する１ビットのＡＰ領域１４。
（５）ＡＶデータの伝送のために予約されたソースポート番号を格納する６ビットのソースポート（ＳｒｃＰｏｒｔ）領域１５。
（６）出力フォーマット通知メッセージ１０からオペコード領域１１と総データ長領域１６を除いた領域のデータ長を表すデータを格納する１６ビットの総データ長（Ｔｏｔａｌ＿ｌｅｎｇｔｈ）領域１６。
（７）将来の利用ために予約された２ビットのＲ（Ｒｅｓｅｒｖｅｄ）領域１７及び１６ビットの予備領域１８。
（８）データ長領域２１に続くフォーマットデータ領域（図５では、領域２２〜３３である。）に格納されるデータのタイプを表すデータを格納する８ビットのフォーマット種別（Ｆｏｒｍａｔ＿Ｔｙｐｅ）領域１９。本実施形態及び以下の各実施形態において、フォーマット種別領域１９は、ビデオフォーマット情報（ＶＩＤＥＯ＿ＩＮＦＯ）を表すデータを格納する。
（９）上記フォーマットデータ領域のバージョン番号を格納する８ビットのバージョン情報（Ｖｅｒｓｉｏｎ）領域２０。
（１０）上記フォーマットデータ領域のデータ長を格納する８ビットのデータ長（Ｌｅｎｇｔｈ）領域２１。
（１１）送信されるビデオデータのビデオフォーマットを表すＶＩＣを格納する８ビットのビデオコード領域２２。
（１２）送信されるビデオデータのカラーフォーマットのタイプを表すデータを格納する３ビットのＣＳ（Ｃｏｌｏｒ  Ｓｐａｃｅ：色空間）領域２３。
（１３）送信されるビデオデータの色深度のビット数を格納する３ビットのＣＤ（Ｃｏｌｏｒ  Ｄｅｐｔｈ：色深度）領域２４。
（１４）送信される映像のアスペクト比を表すデータを格納する２ビットのＰＡＲ（Ｐｉｃｔｕｒｅ  Ａｓｐｅｃｔ  Ｒａｔｉｏ：ビデオアスペクト比）領域２５。
（１５）送信されるビデオデータのカラリメトリ情報を格納する４ビットのＣＭ（Ｃｏｌｏｒｉｍｅｔｒｙ：カラリメトリ）領域２６。
（１６）送信されるビデオデータの有効画素のアスペクト比を表すデータを格納する４ビットのＡＦＡＲ（Ａｃｔｉｖｅ  Ｆｏｒｍａｔ  Ａｓｐｅｃｔ  Ｒａｔｉｏ）領域２７。
（１７）サポートされるコンテンツのタイプを表すデータを格納する４ビットのＣＦ（Ｃｏｎｔｅｎｔ  Ｆｌａｇ）領域２８。
（１８）送信されるビデオデータの量子化ビット範囲を表すデータを格納する２ビットのＱＲ（Ｑｕａｎｔｉｚａｔｉｏｎ  Ｒａｎｇｅ）領域２９。
（１９）送信されるビデオデータのタイミング情報として詳細タイミング情報が用いられるときは１を格納する一方、用いられないときは０を格納する１ビットのＤ（Ｄｅｔａｉｌｅｄ  Ｔｉｍｉｎｇ  Ｉｎｆｏｒｍａｔｉｏｎ）領域３０。
（２０）Ｄ領域３０に１が格納されているときには詳細タイミング情報のＩＤを格納する一方、０が格納されているときには０を格納する４ビットのＩＤ（ＩＤ  ｏｆ  Ｄｅｔａｉｌｅｄ  Ｔｉｍｉｎｇ  Ｉｎｆｏｒｍａｔｉｏｎ領域３１。
（２１）送信されるビデオデータの種別が二次元のビデオデータと、フレームパッキング（フレームシーケンシャルともいう。）を用いて伝送される三次元のビデオデータとのうちのいずれであるかを識別するデータを格納する１ビットの３Ｄ領域３２。具体的には、３Ｄ領域３２は、送信されるビデオデータが二次元のビデオデータであるときには０を格納する一方、送信されるビデオデータがフレームパッキングを用いて伝送される三次元のビデオデータであるときには１を格納する。
（２２）将来の利用ために予約された４ビットのリザーブ領域３３。
【００３４】
次に、ソース機器１１０が左目用ビデオフレームデータ１８１と右目用ビデオフレームデータ１８２とを含む三次元のビデオデータをシンク機器１２０に送信するときの、ソース機器１１０及びシンク機器１２０の動作を説明する。まず始めに、ソース機器１１０は、出力フォーマット通知メッセージ１０の３Ｄ領域３２に１をセットして、シンク機器１２０に送信する。シンク機器１２０は、出力フォーマット通知メッセージ１０の３Ｄ領域３２に１がセットされていることを検出することにより、ソース機器１１０から三次元のビデオデータが送信されること及び当該ビデオデータがフレームパッキングを用いて伝送されることを識別する。
【００３５】
次に、ソース機器１１０のコントローラ１１１は、１にセットされた３Ｄ領域３２を含む出力フォーマット通知メッセージ１０をシンク機器１２０に送信した後に、パケット処理回路１１３に対して、ビデオフレーム毎に、右目用ビデオフレームデータ１８２と左目用ビデオフレームデータ１８１とを、フレームパッキングを用いて合成ビデオフレームデータ１８３に合成するように制御する。
【００３６】
図６は、図１のソース機器１１０によって生成される合成ビデオフレームデータ１８３の水平同期信号と垂直同期信号との関係に基づいたデータ配置図である。図６において、水平表示期間Ｔｈは水平同期信号の水平同期期間と次の水平同期期間との間の期間であり、垂直表示期間Ｔｖは垂直同期信号の垂直同期期間と次の垂直同期期間との間の期間である。左目用ビデオフレームデータ１８１と右目用ビデオフレームデータ１８２の水平有効画素数はそれぞれ１９２０ピクセルであり、垂直有効画素数はそれぞれ１０８０ピクセルである。また、合成ビデオフレームデータ１８３の水平画素数は１９２０ピクセルであり、垂直画素数は２１６０ピクセルである。さらに、左目用ビデオフレームデータ１８１と右目用ビデオフレームデータ１８２の垂直同期周波数は２３．９７Ｈｚ又は２４Ｈｚである。パケット処理回路１１３は、左目用ビデオフレームデータ１８１と右目用ビデオフレームデータ１８２とを合成ビデオフレームデータ１８３に合成する。このとき、合成ビデオフレームデータ１８３は水平表示期間Ｔｈにおいて、垂直表示期間Ｔｖの前半で１０８０ライン分の左目用ビデオフレームデータ１８１が送信された後、垂直表示期間Ｔｖの後半で１０８０ライン分の右目用ビデオフレームデータ１８２が送信されるように構成される。
【００３７】
次に、ソース機器１１０のコントローラ１１１は、パケット処理回路１１３に対して、合成ビデオフレームデータ１８３をワイヤレスＨＤによって所定のパケットフォーマットに従って複数のパケットに分割するように制御する。これに応答して、パケット処理回路１１３は、合成ビデオフレームデータ１８３を送信するための各サブパケットのヘッダに含まれる各Ｈポジション及び各Ｖポジションに、当該サブパケットに格納された合成ビデオフレームデータ１８３の先頭ピクセルの水平表示期間Ｔｈ内の水平位置データ及び垂直表示期間Ｔｖ内の垂直位置データを、右目用ビデオフレームデータ１８２と左目用ビデオフレームデータ１８１とを識別するためのデータとしてそれぞれ格納するように、合成ビデオフレームデータ１８３をワイヤレスＨＤに準拠したパケットフォーマットに従って複数のパケットに分割する。そして、ソース機器１１０のコントローラ１１１は、生成された複数のパケット含むＡＶデータを、割り当てられた予約期間においてシンク機器１２０に無線送信するようにパケット無線送受信回路１１４を制御する。シンク機器１２０は、受信した出力フォーマット通知メッセージ１０内の３Ｄ領域３２に格納されたデータに基づいて、受信されたＡＶデータ内のビデオデータのパケットをデコードする。
【００３８】
なお、ソース機器１１０は、オーディオデータを、ワイヤレスＨＤに準拠したオーディオのパケットフォーマットに従って複数のオーディオパケットに分割し、合成ビデオフレームデータ１８３の複数のパケットとともにシンク機器１２０に無線送信する。また、ソース機器１１０において、パケット処理回路１１３は、ビデオデータが二次元データであるときには、ビデオフレーム毎に、選択されたＶＩＣのビデオフォーマットに従ってビデオフレームデータを生成し、生成されたビデオフレームデータをワイヤレスＨＤに準拠したパケットフォーマットに従って複数のパケットに分割して複数のパケットを生成する。
【００３９】
従来技術に係るワイヤレスＨＤは二次元のビデオデータを無線送信することを想定していたので、従来技術に係る出力フォーマット通知メッセージは、本実施形態に係る出力フォーマット通知メッセージ１０に比較して、３Ｄ領域３２を含んでいなかった。従って、ソース機器１１０は、送信するビデオデータが三次元のビデオデータであることをシンク機器１２０に通知できず、三次元のビデオデータをシンク機器１２０に無線送信できなかった。本実施形態によれば、出力フォーマット通知メッセージ１０は、送信されるビデオデータが二次元のビデオデータと、フレームパッキングを用いて伝送される三次元のビデオデータとのうちのいずれであるかを識別するデータを格納する３Ｄ領域３２を含むので、ソース機器１１０は、三次元のビデオデータを含む３Ｄコンテンツデータをシンク機器１２０に送信する前に、出力フォーマット通知メッセージ１０の３Ｄ領域３２を用いて、ビデオデータが三次元のビデオデータであること及び当該ビデオデータのフォーマット構造を通知することができる。また、シンク機器１２０は、受信された出力フォーマット通知メッセージ１０の３Ｄ領域３２に格納されたデータに基づいて、ソース機器１１０からのビデオデータをデコードできる。従って、本実施形態によれば、三次元のビデオデータをソース機器１１０からシンク機器１２０に、出力フォーマット通知メッセージ１０を用いて通知されたフォーマット構造で送信できる。
【００４０】
また、本実施形態によれば、ソース機器１１０は、ビデオデータを送信する前に、ビデオデータを送信するためのパケットとは別の１つのパケットを用いて、出力フォーマット通知メッセージ１０をシンク機器１２０に送信する。従って、シンク機器１２０は、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０においてビデオデータをスムーズに再生できる。さらに、本実施形態に係る出力フォーマット通知メッセージ１０によれば、二次元のビデオデータ及び三次元のビデオデータに共通のパラメータを、領域２３〜３１に格納したので、ビデオデータの種別毎に別の出力フォーマットメッセージをシンク機器１２０に送信する必要がない。
【００４１】
第２の実施形態．
図７は、本発明の第２の実施形態に係るビデオデータの伝送方法を用いてビデオデータを伝送する無線通信システムの構成を示すブロック図であり、図８は、図７の３Ｄストラクチャテーブル１１５ｖ及び１２７ｖを示す表である。また、図９は、本発明の第２の実施形態に係る出力フォーマット通知メッセージ１０Ａのフォーマットを示す図である。本実施形態は、第１の実施形態に比較して以下の点が異なる。
（１）ソース機器１１０Ａにおいて、メモリ１１５は、ＶＩＣテーブル１１５ｔ及び３Ｄストラクチャテーブル１１５ｖを予め格納すること。
（２）シンク機器１２０Ａにおいて、メモリ１２７は、ＶＩＣテーブル１２７ｔ及び３Ｄストラクチャテーブル１２７ｖを予め格納すること。
（３）出力フォーマット通知メッセージ１０Ａは、出力フォーマット通知メッセージ１０に比較して、３Ｄ領域３２及び予備領域３３に代えて、４ビットの３Ｄストラクチャ領域３４及び１ビットの予備領域３５を含むこと。
【００４２】
図７において、ソース機器１１０Ａは、ＶＩＣテーブル１１５ｔ及び３Ｄストラクチャテーブル１１５ｖをメモリ１１５に予め格納している。ここで、図８に示すように、３Ｄストラクチャテーブル１１５ｖ及び１２７ｖは、出力フォーマット通知メッセージ１０Ａの３Ｄストラクチャ領域３４に格納される３Ｄストラクチャコードと、ビデオデータの種別と、ビデオデータが三次元のビデオデータである場合の当該三次元のビデオデータのフォーマット構造（ビデオストラクチャともいう。）との関係を示す。詳細後述するように、ビデオデータのフォーマット構造は、三次元のビデオデータに含まれる左目用ビデオフレームデータ、右目用ビデオフレームデータ、左目用トップフィールドビデオフレームデータ、右目用トップフィールドビデオフレームデータ、左目用ボトムフィールドビデオフレームデータ及び右目用ボトムフィールドビデオフレームデータ等の各ビデオフレームデータの伝送順序及び伝送タイミングの各定義を表す。すなわち、ビデオデータのフォーマット構造の情報は、パケット処理回路１１３において、ビデオフレーム毎に、１つのビデオデータに含まれる複数のビデオフレームデータを少なくとも１つの合成ビデオフレームデータに合成するための各パラメータを識別するための情報である。
【００４３】
図８において、フォーマット構造がフレームパッキングの場合、合成ビデオフレームデータは、水平表示期間Ｔｈにおいて、垂直表示期間Ｔｖ内の互いに等しい期間長を有する第１〜第Ｎ（Ｎは２以上の整数である。）の各期間でＮ個のビデオフレームデータが順次送信されるように構成される。ここで、例えば、三次元のビデオデータに含まれるビデオフレームデータの個数Ｎが２であるときは、第１及び第２のビデオフレームデータは左目用ビデオフレームデータＬ及び右目用ビデオフレームデータＲである。このとき、上記パラメータは、水平有効期間Ｈａｃｔｉｖｅ、水平ブランキング期間Ｈｂｌａｎｋ、垂直有効期間Ｖａｃｔｉｖｅ及び垂直ブランキング期間Ｖｂｌａｎｋの各ピクセル数、フィールドレート（Ｈｚ）、ピクセル周波数（ＭＨｚ）並びにビデオフレームデータＲ及びＬの間に設けられるブランキング期間の０以上の値を有するライン数Ｖｓｐａｃｅである。また、合成ビデオフレームデータは水平表示期間Ｔｈにおいて、垂直表示期間Ｔｖの前半で所定のライン数Ｖｖｉｄｅｏの左目用ビデオフレームデータＬが送信された後、垂直表示期間Ｔｖの後半で上記所定のラインＶｖｉｄｅｏの右目用ビデオフレームデータＲが送信されるように構成される。また、三次元のビデオデータに含まれるビデオフレームデータの個数Ｎが４であるときは、第１〜第４のビデオフレームデータは左目用トップビデオフレームデータＬ＿ｔｏｐ（左目用奇数ビデオフレームデータＬ＿ｏｄｄともいう。）、右目用トップビデオフレームデータＲ＿ｔｏｐ（右目用奇数ビデオフレームデータＲ＿ｏｄｄともいう。）、左目用ボトムビデオフレームデータＬ＿ｂｏｔｔｏｍ（左目用偶数ビデオフレームデータＬ＿ｅｖｅｎｔ）もいう。）及び右目用ボトムビデオフレームデータＲ＿ｂｏｔｔｏｍ（右目用偶数ビデオフレームデータＲ＿ｅｖｅｎである。
【００４４】
また、フォーマット構造がフィールドオルタナティブの場合、垂直同期信号の連続する３つの垂直同期期間間の各期間Ｔｖ１及びＴｖ２のうち、期間Ｔｖ１において、左目用トップビデオフレームデータＬ＿ｔｏｐ（左目用奇数ビデオフレームデータＬ＿ｏｄｄともいう。）と、右目用トップビデオフレームデータＲ＿ｔｏｐ（右目用奇数ビデオフレームデータＲ＿ｏｄｄともいう。）とを第１の合成ビデオフレームデータに合成し、期間Ｔｖ２において、左目用ボトムビデオフレームデータＬ＿ｂｏｔｔｏｍ（左目用偶数ビデオフレームデータＬ＿ｅｖｅｎともいう。）と、右目用ボトムビデオフレームデータＲ＿ｂｏｔｔｏｍ（右目用偶数ビデオフレームデータＲ＿ｅｖｅｎともいう。）とを第２の合成ビデオフレームデータに合成する。このとき、第１の合成ビデオフレームデータは水平表示期間Ｔｈにおいて、垂直表示期間Ｔｖ１の前半で所定のライン数の左目用トップビデオフレームデータＬ＿ｔｏｐが送信された後、垂直表示期間Ｔｖ１の後半で所定のライン数の右目用トップビデオフレームデータＲ＿ｔｏｐが送信されるように構成される。また、第２の合成ビデオフレームデータは水平表示期間Ｔｈにおいて、垂直表示期間Ｔｖ２の前半で所定のライン数の左目用ボトムビデオフレームデータＬ＿ｂｏｔｔｏｍが送信された後、垂直表示期間Ｔｖ２の後半で所定のライン数の右目用ボトムビデオフレームデータＲ＿ｂｏｔｔｏｍが送信されるように構成される。
【００４５】
さらに、フォーマット構造がラインオルタナティブの場合、合成ビデオフレームデータは水平表示期間Ｔｈにおいて、垂直表示期間Ｔｖで左目用ビデオフレームデータＬに含まれる複数の水平ラインデータＬ＿Ｈと右目用ビデオフレームデータＲに含まれる複数の水平ラインデータＲ＿Ｈとが交互に送信されるように構成される。
【００４６】
またさらに、フォーマット構造がサイドバイサイド（フル）の場合、合成ビデオフレームデータは垂直表示期間Ｔｖにおいて、水平表示期間Ｔｈの前半で所定の第１のピクセル分の左目用ビデオフレームデータＬが送信された後、水平表示期間Ｔｈの後半で所定の第１のピクセル分の右目用ビデオフレームデータＲが送信されるように構成される。また、フォーマット構造がサイドバイサイド（ハーフ）の場合、合成ビデオフレームデータは垂直表示期間Ｔｖにおいて、水平表示期間Ｔｈの前半で第１のピクセルの半分の第２のピクセル分の左目用ビデオフレームデータＬが送信された後、水平表示期間Ｔｈの後半で第２のピクセル分の右目用ビデオフレームデータＲが送信されるように構成される。
【００４７】
また、フォーマット構造がＬ＋Ｄｅｐｔｈの場合、合成ビデオフレームデータは垂直表示期間Ｔｖにおいて、二次元ビデオデータＬと奥行きデータＤｅｐｔｈとが送信されるように構成される。そして、フォーマット構造がＬ＋Ｄｅｐｔｈ＋Ｇｒａｐｈｉｃｓ＋（Ｇｒａｐｈｉｃｓ−Ｄｅｐｔｈ）の場合、合成ビデオフレームデータは垂直表示期間Ｔｖにおいて、二次元ビデオデータＬと、奥行きデータＤｅｐｔｈとグラフィックスデータＧｒａｐｈｉｃｓと、グラフィックスデータと奥行きデータの差分（Ｇｒａｐｈｉｃｓ−Ｄｅｐｔｈ）とが送信されるように構成される。
【００４８】
図９において、本実施形態に係る出力フォーマット通知メッセージ１０Ａは、第１の実施形態に係る出力通知フォーマットメッセージ１０に比較して、３Ｄ領域３２及び予備領域３３に代えて、３Ｄストラクチャ領域３４及び予備領域３５を含む。ここで、３Ｄストラクチャ領域３４は、送信されるビデオデータの種別が二次元のビデオデータと三次元のビデオデータとのうちのいずれであるか、及び、送信されるビデオデータが三次元のビデオデータである場合に当該三次元のビデオデータが所定の複数のフォーマット構造のうちのどのフォーマット構造を用いて送信されるかを識別するための３Ｄストラクチャコードを格納する。
【００４９】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ビデオデータ及びオーディオデータをシンク機器１２０Ａに送信する前に、送信するビデオデータの種別及びフォーマット構造に基づいて、３Ｄストラクチャテーブル１１５ｖを参照して、３Ｄストラクチャ領域３４に格納する３Ｄストラクチャコードを決定し、当該決定された３Ｄストラクチャコードを格納する３Ｄストラクチャ領域３４を含む出力フォーマット通知メッセージ１０Ａを、シンク機器１２０Ａに送信する。さらに、ソース機器１１０Ａは、出力フォーマット通知メッセージ１０Ａを送信した後に、シンク機器１２０ＡにＡＶデータを送信する。シンク機器１２０Ａは、ソース機器１１０Ａからの出力フォーマット通知メッセージ１０Ａの３Ｄストラクチャ領域３４に格納された３Ｄストラクチャコードを検出し、当該検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００５０】
以上説明したように、本実施形態によれば、ワイヤレスＨＤの無線伝送方法において、ビデオデータの出力フォーマット通知メッセージ１０Ａは送信するビデオデータの３Ｄストラクチャコードを格納する３Ｄストラクチャ領域３４を含むので、ソース機器１１０Ａがシンク機器１２０Ａに３Ｄコンテンツデータのビデオデータを送信する前に、出力フォーマット通知メッセージ１０Ａの３Ｄストラクチャ領域３４を用いて、ビデオデータが三次元のビデオデータであること及び当該ビデオデータのフォーマット構造を通知することができる。また、シンク機器１２０Ａは、受信された出力フォーマット通知メッセージ１０Ａの３Ｄストラクチャ領域３４に格納された３Ｄストラクチャコードに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ａを用いて通知されたフォーマット構造で送信できる。
【００５１】
また、本実施形態によれば、ソース機器１１０Ａは、ビデオデータを送信する前に、ビデオデータを送信するためのパケットとは別の１つのパケットを用いて、出力フォーマット通知メッセージ１０Ａをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。さらに、本実施形態に係る出力フォーマット通知メッセージ１０Ａによれば、二次元のビデオデータ及び三次元のビデオデータに共通のパラメータを、領域２３〜３１に格納したので、ビデオデータの種別毎に別の出力フォーマットメッセージをシンク機器１２０Ａに送信する必要がない。
【００５２】
第３の実施形態．
図１０は、本発明の第３の実施形態に係るビデオデータの伝送方法を用いてビデオデータを伝送する無線通信システムの構成を示すブロック図である。また、図１１及び図１２は、図１０のＶＩＣテーブル１１５ｔａ及び１２７ｔａを示す表であり、図１３は、本発明の第３の実施形態に係る出力フォーマット通知メッセージ１０Ｂのフォーマットを示す図である。本実施形態は、第１の実施形態に比較して以下の点が異なる。
（１）ソース機器１１０Ｂにおいて、メモリ１１５は、ＶＩＣテーブル１１５ｔに代えてＶＩＣテーブル１１５ｔａを予め格納すること。
（２）シンク機器１２０Ｂにおいて、メモリ１２７は、ＶＩＣテーブル１２７ｔに代えてＶＩＣテーブル１２７ｔａを予め格納すること。
（３）出力フォーマット通知メッセージ１０Ｂは、出力フォーマット通知メッセージ１０に比較して、二次元のビデオデータのビデオフォーマットを識別するＶＩＣを格納するビデオコード領域２２に代えて、三次元のビデオデータのビデオフォーマットを識別するＶＩＣを格納する８ビットのビデオコード領域２２Ａを含み、３Ｄ領域３２及び予備領域３３に代えて５ビットの予備領域３６を含むこと。
【００５３】
第１及び第２の実施形態では、図２及び図３に示すように、ＶＩＣテーブル１１５ｔ及び１２７ｔは、ＶＩＣと、ビデオデータの垂直有効画素数と、水平有効画素数と、走査方法と、垂直同期周波数との関係を示すように構成されていた。これに対して、本実施形態では、図１１及び図１２に示すように、ＶＩＣテーブル１１５ｔａ及び１２７ｔａは、ＶＩＣと、ビデオデータの垂直有効画素数と、水平有効画素数と、走査方法と、ビデオデータが三次元のビデオデータである場合の当該三次元のビデオデータのフォーマット構造と、垂直同期周波数との関係を示すように構成される。すなわち、本実施形態において、ＶＩＣは、送信されるビデオデータの種別と、ビデオデータの種別が三次元のビデオデータである場合の当該三次元のビデオデータのフォーマット構造を識別する。図１１及び図１２において、１から３７までの間の各ＶＩＣ及び１２８から１３６までの間の各ＶＩＣは、図３及び図４のＶＩＣテーブルと同様に、２Ｄコンテンツデータ（二次元のビデオデータを含むコンテンツデータである。）のビデオフォーマットにそれぞれ割り当てられ、３８から４０までの間の各ＶＩＣは、３Ｄコンテンツデータのビデオフォーマットに、以下のように割り当てられている。
【００５４】
（１）ＶＩＣの３８は、１９２０ピクセルの有効水平画素数と、１０８０ピクセルの有効垂直画素数と、プログレッシブスキャンである走査方法と、２３．９７Ｈｚのフィールドレートと、フレームパッキングのフォーマット構造を有するビデオフォーマットに割り当てられている。
（２）ＶＩＣの３９は、１２８０ピクセルの有効水平画素数と、７２０ピクセルの有効垂直画素数と、プログレッシブスキャンである走査方法と、５３．９４Ｈｚのフィールドレートと、フレームパッキングのフォーマット構造を有するビデオフォーマットに割り当てられている。
（３）ＶＩＣの４０は、１２８０ピクセルの有効水平画素数と、７２０ピクセルの有効垂直画素数と、プログレッシブスキャンである走査方法と、５０Ｈｚのフィールドレートと、フレームパッキングのフォーマット構造を有するビデオフォーマットに割り当てられている。
【００５５】
図１３において、出力フォーマット通知メッセージ１０Ｂは、第１の実施形態に係る出力フォーマット通知メッセージ１０に比較して、二次元のビデオデータのビデオフォーマットを識別するＶＩＣを格納するビデオコード領域２２に代えて、三次元のビデオデータのビデオフォーマットを識別するＶＩＣを格納する８ビットのビデオコード領域２２Ａを含み、３Ｄ領域３２及び予備領域３３に代えて５ビットの予備領域３６を含む。
【００５６】
次に、ソース機器１１０Ｂがシンク機器１２０ＢにＡＶデータを送信するときの、ソース機器１１０Ｂ及びシンク機器１２０Ｂの動作を説明する。まず始めに、ソース機器１１０は、ＡＶデータをシンク機器１２０に送信する前に、送信するビデオデータの種別と、垂直有効画素数と、水平有効画素数と、走査方法と、ビデオデータが三次元のビデオデータである場合の当該三次元のビデオデータのフォーマット構造と、垂直同期周波数とに基づいて、ＶＩＣテーブル１１５ｔａを参照して、ビデオコード領域２２Ａに格納するＶＩＣを決定し、当該決定された値を格納するビデオコード領域２２Ａを含む出力フォーマット通知メッセージ１０Ｂを、シンク機器１２０Ｂに送信する。さらに、ソース機器１１０Ｂは、出力フォーマット通知メッセージ１０Ｂを送信した後に、シンク機器１２０ＢにＡＶデータを送信する。シンク機器１２０Ｂは、ソース機器１１０Ｂからの出力フォーマット通知メッセージ１０Ｂのビデオコード領域２２Ａに格納されたＶＩＣを検出し、検出されたＶＩＣに基づいてＶＩＣテーブル１２７ｔａを参照して、ソース機器１１０Ｂから送信されるビデオデータの種別と、垂直有効画素数と、水平有効画素数と、走査方法と、ビデオデータが三次元のビデオデータである場合の当該三次元のビデオデータのフォーマット構造と、垂直同期周波数とを識別する。そして、シンク機器１２０Ｂは、識別されたビデオデータの種別と、垂直有効画素数と、水平有効画素数と、走査方法と、ビデオデータが三次元のビデオデータである場合の当該三次元のビデオデータのフォーマット構造と、垂直同期周波数とに基づいて、受信されるビデオデータをデコードして表示する。
【００５７】
例えば、ソース機器１１０Ｂは、三次元のビデオデータを送信するときは、３８から４０までの間のＶＩＣのうちから１つのＶＩＣを選択して出力フォーマット通知メッセージ１０Ｂのビデオコード領域２２Ａに格納して、当該選択されたＶＩＣをシンク機器１２０Ｂに通知する。さらに、ソース機器１１０Ｂは、出力フォーマット通知メッセージ１０Ｂを送信した後に、３Ｄコンテンツデータをシンク機器１２０Ｂに送信する。シンク機器１２０Ｂは、出力フォーマット通知メッセージ１０Ｂのビデオコード領域２２のデータ値が３８から４０までの値であることを検出することにより、ソース機器１１０Ｂから送信されるビデオデータが三次元のビデオデータであり、かつ当該三次元のビデオデータのフォーマット構造がフレームパッキングであることを識別する。
【００５８】
以上説明したように、本実施形態によれば、ワイヤレスＨＤの無線伝送方法において、ビデオデータの出力フォーマット通知メッセージ１０Ｂは、送信されるビデオデータの種別と、垂直有効画素数と、水平有効画素数と、走査方法と、ビデオデータが三次元のビデオデータである場合の当該三次元のビデオデータのフォーマット構造と、垂直同期周波数とを識別するＶＩＣを格納するビデオコード領域２２Ａを含むので、ソース機器１１０Ｂがシンク機器１２０Ｂに３Ｄコンテンツデータのビデオデータを送信する前に、出力フォーマット通知メッセージ１０Ｂのビデオコード領域２２Ａを用いて、ビデオデータが三次元のビデオデータであること及び当該ビデオデータのフォーマット構造を通知することができる。また、シンク機器１２０Ｂは、受信された出力フォーマット通知メッセージ１０Ｂのビデオコード領域２２Ａに格納されたＶＩＣに基づいて、ソース機器１１０Ｂからのビデオデータをデコードできる。従って、本実施形態によれば、三次元のビデオデータをソース機器１１０Ｂからシンク機器１２０Ｂに、出力フォーマット通知メッセージ１０Ｂを用いて通知されたフォーマット構造で送信できる。
【００５９】
また、本実施形態によれば、ソース機器１１０Ｂは、ビデオデータを送信する前に、ビデオデータを送信するためのパケットとは別の１つのパケットを用いて、出力フォーマット通知メッセージ１０Ｂをシンク機器１２０Ｂに送信する。従って、シンク機器１２０Ｂは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ｂにおいてビデオデータをスムーズに再生できる。さらに、本実施形態に係る出力フォーマット通知メッセージ１０Ｂによれば、二次元のビデオデータ及び三次元のビデオデータに共通のパラメータを、領域２３〜３１に格納したので、ビデオデータの種別毎に別の出力フォーマットメッセージをシンク機器１２０Ｂに送信する必要がない。
【００６０】
第４の実施形態．
図１４は、本発明の第４の実施形態に係る出力フォーマット通知メッセージ１０Ｃのフォーマットを示す図である。本実施形態に係る出力フォーマット通知メッセージ１０Ｃは、第２の実施形態に係るソース機器１１０Ａからシンク機器１２０Ａに送信される。本実施形態に係る出力フォーマット通知メッセージ１０Ｃは、第２の実施形態に係る出力フォーマット通知メッセージ１０Ａに比較して、３Ｄストラクチャ領域３４及び予備領域３５に代えて、以下の各領域を含むことを特徴としている。
（１）３Ｄコンテンツデータ情報の有無、すなわち、送信されるビデオデータの種別が二次元のビデオデータ及び三次元のビデオデータのうちのいずれであるかを識別するデータを格納する１ビットの３Ｄ領域３２Ａ。３Ｄ領域３２Ａは、送信されるビデオデータが二次元のビデオデータであるときには０を格納する一方、送信されるビデオデータが三次元のビデオデータであるときには１を格納する。
（２）送信されるビデオデータの３Ｄストラクチャコード（図８参照。）を格納する４ビットの３Ｄストラクチャ領域４１。
（３）３Ｄメタデータ領域４７−０，４７−１，…，４７−Ｎがあるときに１を格納し、ないときに０を格納する１ビットの３Ｄメタデータプレゼント（３Ｄ＿Ｍｅｔａｄａｔａ＿ｐｒｅｓｅｎｔ）領域４３。
（４）３Ｄ拡張データを表すデータを格納する４ビットの３Ｄエクステンションデータ（３Ｄ＿Ｅｘｔ＿Ｄａｔａ）領域４４。
（５）３Ｄメタデータ領域４７−０，４７−１，…，４７−Ｎに格納される３Ｄメタデータのタイプを表すデータを格納する３ビットの３Ｄメタデータタイプ（３Ｄ＿Ｍｅｔａｄａｔａ＿ｔｙｐｅ）領域４５。
（６）３Ｄメタデータ領域４７−０，４７−１，…，４７−Ｎの総データ長を格納する５ビットの３Ｄメタデータ長（３Ｄ＿Ｍｅｔａｄａｔａ＿Ｌｅｎｇｔｈ）領域４６。
（７）８ビットのサイズをそれぞれ有しかつ３Ｄメタデータをそれぞれ格納するＮ＋１個（Ｎは０又は正の整数である。）の３Ｄメタデータ領域４７−０，４７−１，…，４７−Ｎ（３Ｄ＿Ｍｅｔａｄａｔａ＿０，３Ｄ＿Ｍｅｔａｄａｔａ＿１，…，３Ｄ＿Ｍｅｔａｄａｔａ＿Ｎ）。
（８）予備領域４９。
【００６１】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域４１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータ値を格納する。そして、ソース機器１１０Ａは、出力フォーマット通知メッセージ１０Ｃをシンク機器１２０Ａに送信した後に、シンク機器１２０ＡにＡＶデータを送信する。シンク機器１２０Ａは、ソース機器１１０Ａからの出力フォーマット通知メッセージ１０Ｃの３Ｄストラクチャ領域４１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００６２】
例えば、ソース機器１１０Ａは、送信するビデオデータが三次元のビデオデータである場合、３Ｄ領域３２Ａを１にセットし、送信する３Ｄコンテンツデータに関するフォーマット情報である３Ｄメタデータに基づいて、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータを格納し、シンク機器１２０に通知する。ここで、３Ｄメタデータプレゼント領域４３に０がセットされているとき、３Ｄメタデータタイプ領域４５と、３Ｄメタデータ長領域４６と、３Ｄメタデータ領域４７−０，４７−１，…，４７−Ｎは設けられない。シンク機器１２０Ａは、受信した出力フォーマット通知メッセージ１０Ｃの３Ｄ領域３２Ａが１にセットされている場合、ソース機器１１０Ａから送信されるビデオデータが三次元のビデオデータであることを検出し、出力フォーマット通知メッセージ１０に格納された各データに基づいて、３Ｄコンテンツデータに関するフォーマット情報を取得する。また、ソース機器１１０Ａは、出力フォーマット通知メッセージ１０Ｃをシンク機器１２０Ａに送信した後に、３Ｄコンテンツデータをシンク機器１２０Ａに送信する。
【００６３】
また、ソース機器１１０Ａは、送信するビデオデータが二次元のビデオデータである場合、３Ｄ領域３２Ａを０にセットし、シンク機器１２０に通知する。ここで、３Ｄ領域３２Ａに格納される値が０の場合には、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとは設けられない。シンク機器１２０Ａは、３Ｄ領域３２Ａに格納された値が０である場合、ソース機器１１０から送信されるビデオデータが二次元のビデオデータであることを検出する。また、ソース機器１１０Ａは、出力フォーマット通知メッセージ１０Ｃをシンク機器１２０Ａに送信した後に、２次元のビデオデータを含む２Ｄコンテンツデータをシンク機器１２０Ａに送信する。
【００６４】
以上説明したように、本実施形態によれば、ワイヤレスＨＤの無線伝送方法において、ビデオデータの出力フォーマット通知メッセージ１０Ｃは、３Ｄ領域３２Ａと、３Ｄストラクチャ領域４１と、３Ｄメタデータプレゼント領域４３と、３Ｄエクステンションデータ領域４４と、３Ｄメタデータタイプ領域４３と、３Ｄメタデータ長領域４６と、３Ｄメタデータ領域４７−０，４７−１，…，４７−Ｎとを含む。従って、ソース機器１１０Ａがシンク機器１２０Ａに３Ｄコンテンツデータのビデオデータを送信する前に、出力フォーマット通知メッセージ１０Ｃの３Ｄ領域３２Ａと、３Ｄストラクチャ領域４１と、３Ｄメタデータプレゼント領域４３と、３Ｄエクステンションデータ領域４４と、３Ｄメタデータタイプ領域４３と、３Ｄメタデータ長領域４６と、３Ｄメタデータ領域４７−０，４７−１，…，４７−Ｎとを用いて、ビデオデータが三次元のビデオデータであることと、当該ビデオデータのフォーマット構造と、３Ｄコンテンツデータの各種フォーマット情報をシンク機器１２０Ａに通知することができる。また、シンク機器１２０Ａは、受信された出力フォーマット通知メッセージ１０Ｃの３Ｄ領域３２Ａ及び３Ｄストラクチャ領域４１に格納された各データに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ｃを用いて通知されたフォーマット構造で送信できる。
【００６５】
また、本実施形態によれば、ソース機器１１０Ａは、ビデオデータを送信する前に、ビデオデータを送信するためのパケットとは別の１つのパケットを用いて、出力フォーマット通知メッセージ１０Ｃをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。さらに、本実施形態に係る出力フォーマット通知メッセージ１０Ｃによれば、二次元のビデオデータ及び三次元のビデオデータに共通のパラメータを、領域２３〜３１に格納したので、ビデオデータの種別毎に別の出力フォーマットメッセージをシンク機器１２０Ａに送信する必要がない。
【００６６】
第５の実施形態．
図１５は、本発明の第５の実施形態に係る出力フォーマット通知メッセージ１０Ｄのフォーマットを示す図である。本実施形態に係る出力フォーマット通知メッセージ１０Ｄは、第２の実施形態に係るソース機器１１０Ａからシンク機器１２０Ａに送信される。本実施形態に係る出力フォーマット通知メッセージ１０Ｄは、第２の実施形態に係る出力フォーマット通知メッセージ１０Ａに比較して、以下の点が異なる。
（１）ビデオフォーマット情報を表すデータを格納するフォーマット種別領域１９に代えて、三次元ビデオフォーマット情報を表すデータを格納するフォーマット種別領域１９Ａを含む。
（２）領域２３〜３１，３４，３５に代えて、以下の各領域を含む。
（ａ）送信されるビデオデータの３Ｄストラクチャコードを格納する４ビットの３Ｄストラクチャ領域５１。
（ｂ）３Ｄメタデータ領域５７−０，５７−１，…，５７−Ｎがあるときに１を格納し、ないときに０を格納する１ビットの３Ｄメタデータプレゼント領域５３。
（ｃ）３Ｄ拡張データを表すデータを格納する４ビットの３Ｄエクステンションデータ領域５４。
（ｄ）３Ｄメタデータ領域５７−０，５７−１，…，５７−Ｎに格納される３Ｄメタデータのタイプを表すデータを格納する３ビットの３Ｄメタデータタイプ領域５５。
（ｅ）３Ｄメタデータ領域５７−０，５７−１，…，５７−Ｎの総データ長を格納する５ビットの３Ｄメタデータ長領域５６。
（ｆ）８ビットのサイズをそれぞれ有しかつ３Ｄメタデータをそれぞれ格納するＮ＋１個（Ｎは０又は正の整数である。）の３Ｄメタデータ領域５７−０，５７−１，…，５７−Ｎ。
（８）予備領域５９。
なお、領域５１，５３，５４，５５，５６，５７−０，５７−１，…，５７−Ｎはそれぞれ、上述した領域４１，４３，４４，４５，４６，４７−０，４７−１，…，４７−Ｎと同様に構成される。
【００６７】
本実施形態は、上記各実施形態に比較して、フォーマット種別領域１９Ａに格納されるデータとして、三次元ビデオフォーマット情報を表すデータを新たに定義したことを特徴としている。
【００６８】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域５１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域５３と、３Ｄエクステンションデータ領域５４と、３Ｄメタデータタイプ領域５５と、３Ｄメタデータ長領域５６と、３Ｄメタデータ領域５７−０，５７−１，…，５７−Ｎとに所定のデータ値を格納する。そして、ソース機器１１０Ａは、出力フォーマット通知メッセージ１０Ｄをシンク機器１２０Ａに送信した後に、シンク機器１２０ＡにＡＶデータを送信する。シンク機器１２０Ａは、ソース機器１１０からの出力フォーマット通知メッセージ１０Ｄの３Ｄストラクチャ領域５１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００６９】
例えば、ソース機器１１０Ａは、送信するビデオデータが三次元のビデオデータである場合、フォーマット種別領域１９Ａに３Ｄコンテンツデータ専用の出力フォーマットに関する通知メッセージデータ値、例えば、「０ｘ０７」をセットする。そして、送信する３Ｄコンテンツデータに関するフォーマット情報である３Ｄメタデータに基づいて、３Ｄストラクチャ領域５１と、３Ｄメタデータプレゼント領域５３と、３Ｄエクステンションデータ領域５４と、３Ｄメタデータタイプ領域５５と、３Ｄメタデータ長領域５６と、３Ｄメタデータ領域５７−０，５７−１，…，５７−Ｎとに所定の情報を格納し、シンク機器１２０Ａに通知する。シンク機器１２０Ａは、ソース機器１１０Ａからの出力フォーマット通知メッセージ１０Ｄに基づいて、送信される３Ｄコンテンツデータに関するフォーマット情報を取得する。ここで、３Ｄメタデータプレゼント領域５３に０がセットされているときは、３Ｄメタデータタイプ領域５５と、３Ｄメタデータ長領域５６と、３Ｄメタデータ領域５７−０，５７−１，…，５７−Ｎとは設けられない。また、ソース機器１１０Ａは、出力フォーマット通知メッセージ１０Ｃをシンク機器１２０Ａに送信した後に、３Ｄコンテンツデータをシンク機器１２０Ａに送信する。
【００７０】
また、ソース機器１１０Ａは、送信するビデオデータが二次元のビデオデータである場合、出力フォーマット通知メッセージ１０Ｄに代えて、従来技術に係るワイヤレスＨＤに準拠した出力フォーマット通知メッセージ（出力フォーマット通知メッセージ１０の３Ｄ領域３２及び予備領域３３に代えて、５ビットの予備領域を含む。）をシンク機器１２０Ａに送信する。
【００７１】
以上説明したように、本実施形態によれば、ワイヤレスＨＤの無線伝送方法において、ビデオデータの出力フォーマット通知メッセージ１０Ｄは、３Ｄストラクチャ領域５１と、３Ｄメタデータプレゼント領域５３と、３Ｄエクステンションデータ領域５４と、３Ｄメタデータタイプ領域５３と、３Ｄメタデータ長領域５６と、３Ｄメタデータ領域５７−０，５７−１，…，５７−Ｎとを含む。従って、ソース機器１１０Ａがシンク機器１２０Ａに３Ｄコンテンツデータのビデオデータを送信する前に、出力フォーマット通知メッセージ１０Ｄの３Ｄ領域３２Ａと、３Ｄストラクチャ領域５１と、３Ｄメタデータプレゼント領域５３と、３Ｄエクステンションデータ領域５４と、３Ｄメタデータタイプ領域５５と、３Ｄメタデータ長領域５６と、３Ｄメタデータ領域５７−０，５７−１，…，５７−Ｎとを用いて、ビデオデータが三次元のビデオデータであることと、当該ビデオデータのフォーマット構造と、３Ｄコンテンツデータの各種フォーマット情報をシンク機器１２０Ａに通知することができる。また、シンク機器１２０Ａは、受信された出力フォーマット通知メッセージ１０Ｄの３Ｄ領域３２Ａ及び３Ｄストラクチャ領域５１に格納された各データに基づいて、ソース機器１１０Ａからのビデオデータをデコードできる。従って、本実施形態によれば、三次元のビデオデータをソース機器１１０Ａからシンク機器１２０Ａに、出力フォーマット通知メッセージ１０Ｄを用いて通知されたフォーマット構造で送信できる。
【００７２】
また、本実施形態によれば、ソース機器１１０Ａは、ビデオデータを送信する前に、ビデオデータを送信するためのパケットとは別の１つのパケットを用いて、出力フォーマット通知メッセージ１０Ｄをシンク機器１２０Ａに送信する。従って、シンク機器１２０Ａは、ビデオデータを受信する前に、当該ビデオデータの種別及びフォーマット構造を識別でき、ビデオデータと当該ビデオデータの種別及びフォーマット構造を識別を識別するためのデータとを同一のパケットを用いて送信する場合に比較して、シンク機器１２０Ａにおいてビデオデータをスムーズに再生できる。
【００７３】
第６の実施形態．
図１６は、本発明の第６の実施形態に係る出力フォーマット通知メッセージ１０Ｅのフォーマットを示す図である。本実施形態に係る出力フォーマット通知メッセージ１０Ｅは、第２の実施形態に係るソース機器１１０Ａからシンク機器１２０Ａに送信される。本実施形態に係る出力フォーマット通知メッセージ１０Ｅは、第４の実施形態に係る出力フォーマット通知メッセージ１０Ｃに比較して、予備領域３３に代えて、２ビットのフィールド周波数選択領域６１と２ビットの予備領域６２とを含むことを特徴としている。
【００７４】
図１６において、フィールド周波数選択領域６１は、送信されるビデオデータのＶＩＣによって２つのフィールドレートが識別される場合に、当該ビデオデータのフィールドレートが上記２つのフィールドレートのうちの低い方のフィールドレートであるときには０を格納し、高い方のフィールドレートであるときには１を格納し、両方のフィールドレートであるときには２を格納する。
【００７５】
次に、ソース機器１１０Ａがシンク機器１２０ＡにＡＶデータを送信するときの、ソース機器１１０Ａ及びシンク機器１２０Ａの動作を説明する。まず始めに、ソース機器１１０Ａは、ＡＶデータをシンク機器１２０Ａに送信する前に、送信するビデオデータの種別及びフォーマット構造に基づいて、３Ｄストラクチャテーブル１１５ｖを参照して、３Ｄストラクチャコードを選択し、選択された３Ｄストラクチャコードを３Ｄストラクチャ領域４１に格納する。また、ソース機器１１０Ａは、送信するビデオデータの種別に基づいて、３Ｄ領域３２Ａに０又は１を格納する。さらに、ソース機器１１０Ａは、送信するビデオデータの種別及びフォーマット構造に基づいて、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータ値を格納する。そして、ソース機器１１０Ａは、出力フォーマット通知メッセージ１０Ｅをシンク機器１２０Ａに送信した後に、シンク機器１２０ＡにＡＶデータを送信する。シンク機器１２０Ａは、ソース機器１１０Ａからの出力フォーマット通知メッセージ１０Ｅの３Ｄストラクチャ領域４１に格納された３Ｄストラクチャコードを検出し、検出された３Ｄストラクチャコードに基づいて、３Ｄストラクチャテーブル１２７ｖを参照して、ソース機器１１０Ａから送信されるビデオデータの種別及びフォーマット構造を識別する。そして、シンク機器１２０Ａは、識別されたビデオデータの種別及びフォーマット構造に基づいて、受信されるビデオデータをデコードする。
【００７６】
例えば、ソース機器１１０Ａは、送信するビデオデータが三次元のビデオデータである場合、３Ｄ領域３２Ａを１にセットし、送信する３Ｄコンテンツデータに関するフォーマット情報である３Ｄメタデータに基づいて、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとに所定のデータを格納し、シンク機器１２０に通知する。ここで、フィールド周波数選択領域６１は、ビデオコード領域２２に格納されたＶＩＣによって２つのフィールドレートが識別される場合には、当該２つのフィールドレートのうちの少なくとも一方を選択するためのデータを格納する。例えば、図２に示すように、ＶＩＣが２０の場合は、２３．９７Ｈｚと２４Ｈｚの各フィールドレートが識別されるが、フィールド周波数選択領域６１に１を格納することにより２３．９７Ｈｚを選択し、２を格納することにより２４Ｈｚを選択し、０を格納することにより２３．９７Ｈｚと２４Ｈｚとの両方を選択できる。シンク機器１２０Ａは、受信した出力フォーマット通知メッセージ１０Ｅの３Ｄ領域３２Ａが１にセットされている場合、ソース機器１１０Ａから送信されるビデオデータが三次元のビデオデータであることを検出し、出力フォーマット通知メッセージ１０Ｅに格納された各データに基づいて、３Ｄコンテンツデータに関するフォーマット情報を取得する。また、シンク機器１２０Ａは、ビデオコード領域２２に格納されたＶＩＣ及びフィールド周波数選択領域６１の値に基づいてＶＩＣテーブル１２７ｔを参照して、フィールドレートを選択して取得する。また、ソース機器１１０Ａは、出力フォーマット通知メッセージ１０Ｅをシンク機器１２０Ａに送信した後に、３Ｄコンテンツデータをシンク機器１２０Ａに送信する。
【００７７】
また、ソース機器１１０Ａは、送信するビデオデータが二次元のビデオデータである場合、３Ｄ領域３２Ａを０にセットし、シンク機器１２０に通知する。ここで、３Ｄ領域３２Ａに格納される値が０の場合には、３Ｄストラクチャ領域４１と、３Ｄメタデータプレゼント領域４３と、３Ｄエクステンションデータ領域４４と、３Ｄメタデータタイプ領域４５と、３Ｄメタデータ長領域４６と、３Ｄメタデータ領域４７−０，４７−１，…，４７−Ｎとは設けられない。シンク機器１２０Ａは、３Ｄ領域３２Ａに格納された値が０である場合、ソース機器１１０Ａから送信されるビデオデータが二次元のビデオデータであることを検出する。また、ソース機器１１０Ａは、出力フォーマット通知メッセージ１０Ｅをシンク機器１２０Ａに送信した後に、２次元のビデオデータを含む２Ｄコンテンツデータをシンク機器１２０Ａに送信する。ここで、フィールド周波数選択領域６１に格納される値は、ソース機器１１０が送信するビデオデータが二次元のビデオデータであるか、三次元のビデオデータであるかに依存しない。
【００７８】
以上説明したように、本実施形態によれば、ワイヤレスＨＤの無線伝送方法において、ビデオデータの出力フォーマット通知メッセージ１０Ｅがフィールド周波数選択領域６１を含むので、第４の実施形態に比較して、ビデオコード領域２２に格納されたＶＩＣによって２つのフィールドレートが識別されるときに、当該２つのフィールドレートのうちの少なくとも一方を選択することができるという特有の作用効果を奏する。
【００７９】
第７の実施形態．
図１７及び図１８は、本発明の第７の実施形態に係るＶＩＣテーブル１１５ｔａ及び１２７ｔａを示す表である。本実施形態は、第３の実施形態に比較して、ＶＩＣの割り当て方のみが異なる。本実施形態において、９６から９９までの間の各ＶＩＣは、三次元のビデオデータのビデオフォーマットに対して割り当てられている。本実施形態は、第３の実施形態と同様の特有の作用効果を奏する。
【００８０】
なお、上記各実施形態において、ソース機器１１０，１１０Ａ，１１０Ｂを、シンク機器１２０，１２０Ａ，１２０ＢとそれぞれワイヤレスＨＤに準拠した無線伝送路で無線接続しているが、本発明はこれに限らず、ワイヤレスＨＤ以外の無線通信規格に準拠した無線伝送路又は有線伝送ケーブルを用いて接続してもよい。この場合、ソース機器は、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージ１０，１０Ａ，１０Ｂ，１０Ｃ，１０Ｄ又は１０Ｅを、上記シンク機器に送信する。また、シンク機器は、出力フォーマット通知メッセージ１０，１０Ａ，１０Ｂ，１０Ｃ，１０Ｄ又は１０Ｅを上記ソース機器から受信し、上記受信された出力フォーマット通知メッセージ１０，１０Ａ，１０Ｂ，１０Ｃ，１０Ｄ又は１０Ｅに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードする。
【００８１】
なお、上記各実施形態において、３Ｄストラクチャコードに割り当てられる値は、図８に示された値以外の値であってもよいし、三次元のビデオデータのフォーマット構造は、図８に示したものに限らない。また、ＶＩＣテーブル１１５ｔａ及び１２７ｔａにおいて三次元のビデオデータのフォーマットに割り当てられる値は、第３及び第７の実施形態において割り当てられた値に限らない。さらに、第３及び第７の実施形態において、３種類の３ＤコンテンツのビデオフォーマットにＶＩＣを割り当てたが、ビデオフォーマットの数は３種類に限らず、上述した３種類のビデオフォーマット以外の有効画素数やフィールドレートやストラクチャ構造を持った３Ｄコンテンツのビデオフォーマットであってもよい。
【００８２】
また、上記各実施形態において、帯域管理部１２１ｂはシンク機器１２０，１２０Ａ及び１２０Ｂに設けられたが、本発明はこれに限らず、ソース機器１１０，１１０Ａ及び１１０Ｂ又は他の機器に設けられてもよい。
【産業上の利用可能性】
【００８３】
以上詳述したように、本発明に係るビデオデータの伝送方法、当該ビデオデータを送信するソース機器、当該ビデオデータを受信するシンク機器、並びに当該ソース機器及びシンク機器を備えた通信システムによれば、ソース機器は、ビデオデータをシンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信する。また、シンク機器は、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別し、上記ソース機器から上記ビデオデータを受信し、上記ビデオデータを、上記識別された種別及びフォーマット情報に基づいてデコードするので、三次元のビデオデータを伝送できる。
【００８４】
本発明は特に、例えば、ワイヤレスＨＤなどの無線通信規格に準拠した無線通信システムにおける非圧縮のＡＶコンテンツデータの伝送に利用できる。
【符号の説明】
【００８５】
１…デバイス能力要求メッセージ、
２…デバイス能力応答メッセージ、
６…接続要求メッセージ、
７…接続応答メッセージ、
１０，１０Ａ，１０Ｂ，１０Ｃ，１０Ｄ，１０Ｅ…出力フォーマット通知メッセージ、
１１…オペコード領域、
１２…シンクポート領域、
１３…ＶＰ領域、
１４…ＡＰ領域、
１５…ソースポート領域、
１６…総データ長領域、
１７…Ｒ領域、
１８…予備領域、
１９，１９Ａ…フォーマット種別領域、
２０…バージョン情報領域、
２１…データ長領域、
２２，２２Ａ…ビデオコード領域、
２３…ＣＳ領域、
２４…ＣＤ領域、
２５…ＰＡＲ領域、
２６…ＣＭ領域、
２７…ＡＦＡＲ領域、
２８…ＣＦ領域、
２９…ＱＲ領域、
３０…Ｄ領域、
３１…ＩＤ領域、
３２，３２Ａ…３Ｄ領域、
３３…予備領域、
３４…３Ｄストラクチャ領域、
３５…予備領域、
３６…予備領域、
４１…３Ｄストラクチャ領域、
４３…３Ｄメタデータプレゼント領域、
４４…３Ｄエクステンションデータ領域、
４５…３Ｄメタデータタイプ領域、
４６…３Ｄメタデータ長領域、
４７−０，４７−１〜４７−Ｎ…３Ｄメタデータ領域、
４９…予備領域、
５１…３Ｄストラクチャ領域、
５３…３Ｄメタデータプレゼント領域、
５４…３Ｄエクステンションデータ領域、
５５…３Ｄメタデータタイプ領域、
５６…３Ｄメタデータ長領域、
５７−０，５７−１〜５７−Ｎ…３Ｄメタデータ領域、
５９…予備領域、
６１…フィールド周波数選択領域、
６２…予備領域、
１１０，１１０Ａ，１１０Ｂ…ソース機器、
１１１…コントローラ、
１１２…映像音声再生装置、
１１３…パケット処理回路、
１１４…パケット無線送受信回路、
１１５…メモリ、
１１５ｔ，１１５ｔａ…ＶＩＣテーブル、
１１５ｖ…３Ｄストラクチャテーブル、
１１６…アンテナ、
１２０，１２０Ａ，１２０Ｂ…シンク機器、
１２１…コントローラ、
１２２…パケット無線送受信回路、
１２３…パケット処理回路、
１２４…映像音声処理回路、
１２５…スピーカ、
１２６…ディスプレイ、
１２７…メモリ、
１２７ｄ…ＥＤＩＤデータ、
１２７ｔ，１２７ｔａ…ＶＩＣテーブル、
１２７ｖ…３Ｄストラクチャテーブル、
１８１…左目用ビデオフレームデータ、
１８２…右目用ビデオフレームデータ、
１８３…合成ビデオフレームデータ。
【手続補正２】
【補正対象書類名】特許請求の範囲
【補正対象項目名】全文
【補正方法】変更
【補正の内容】
【特許請求の範囲】
【請求項１】
ソース機器からシンク機器にビデオデータを伝送する通信システムのためのソース機器において、
上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを表すデータ、及び、上記送信されるビデオデータが三次元のビデオデータである場合の当該三次元のビデオデータのフォーマット情報を含む出力フォーマット通知メッセージを、上記シンク機器に送信する第１の制御手段と、
上記ビデオデータが三次元のビデオデータであるときに、ビデオフレーム毎に、上記第１のビデオフレームデータと上記第２のビデオフレームデータとを合成ビデオフレームデータに合成し、上記合成ビデオフレームデータを上記シンク機器に送信する送信手段とを備え、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするソース機器。
【請求項２】
上記フォーマット情報は、上記送信されるビデオデータのフィールドレートと、垂直有効画素数と、水平有効画素数と、垂直同期周波数とをさらに含むことを特徴とする請求項１記載のソース機器。
【請求項３】
上記出力フォーマット通知メッセージは、上記二次元のビデオデータ及び上記三次元のビデオデータに共通のパラメータを含むことを特徴とする請求項１記載のソース機器。
【請求項４】
ソース機器からシンク機器にビデオデータを伝送する通信システムのためのシンク機器において、
上記ソース機器によって送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別する第２の制御手段と、
上記ソース機器から上記ビデオデータを受信し、上記ビデオデータを、上記識別された種別及びフォーマット情報に基づいてデコードする受信手段とを備え、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするシンク機器。
【請求項５】
ソース機器からシンク機器にビデオデータを伝送する通信システムにおいて、
請求項１記載のソース機器と、
請求項４記載のシンク機器とを備えたことを特徴とする通信システム。
【請求項６】
ソース機器からシンク機器にビデオデータを伝送する通信システムのためのビデオデータの伝送方法において、
上記ソース機器により、上記ビデオデータを上記シンク機器に送信する前に、上記送信されるビデオデータの種別が（ａ）第１のビデオフレームデータと第２のビデオフレームデータとを含む三次元のビデオデータと、（ｂ）第３のビデオフレームデータを含む二次元のビデオデータとのうちのいずれであるかを識別するデータ、及び、上記送信されるビデオデータが三次元のビデオデータである場合の当該三次元のビデオデータのフォーマット情報を含む出力フォーマット通知メッセージを、上記シンク機器に送信するステップと、
上記シンク機器により、出力フォーマット通知メッセージを上記ソース機器から受信し、上記受信された出力フォーマット通知メッセージに基づいて、上記送信されるビデオデータの種別、及び上記送信されるビデオデータの種別が三次元のビデオデータである場合の当該三次元のビデオデータのフォーマット情報を識別するステップと、
上記シンク機器により、上記ソース機器から上記ビデオデータを受信し、上記ビデオデータを、上記識別された種別及びフォーマット情報に基づいてデコードするステップとを含み、
上記フォーマット情報は、上記第１のビデオフレームデータと上記第２のビデオフレームデータとを合成ビデオフレームデータに合成するためのパラメータを識別するためのフォーマット構造の情報を含み、
上記出力フォーマット通知メッセージは、上記送信されるビデオデータの種別と、上記ビデオデータの種別が三次元のビデオデータである場合の当該三次元のビデオデータのフォーマット構造を識別するビデオフォーマット情報識別子を格納するビデオコード領域を含むことを特徴とするビデオデータの伝送方法。
【手続補正３】
【補正対象書類名】図面
【補正対象項目名】全図
【補正方法】変更
【補正の内容】
【図１】
2010131314.tif 000021
【図２】
2010131314.tif 000022
【図３】
2010131314.tif 000023
【図４】
2010131314.tif 000024
【図５】
2010131314.tif 000025
【図６】
2010131314.tif 000026
【図７】
2010131314.tif 000027
【図８】
2010131314.tif 000028
【図９】
2010131314.tif 000029
【図１０】
2010131314.tif 000030
【図１１】
2010131314.tif 000031
【図１２】
2010131314.tif 000032
【図１３】
2010131314.tif 000033
【図１４】
2010131314.tif 000034
【図１５】
2010131314.tif 000035
【図１６】
2010131314.tif 000036
【図１７】
2010131314.tif 000037
【図１８】
2010131314.tif 000038
【国際調査報告】
2010131314.tif 000039
2010131314.tif 000040
2010131314.tif 000041
2010131314.tif 000042